(57)【要約】  チャネル状態情報を効率的に送信する。端末装置であって、第１のモードを設定するための情報、および、第２のモードを設定するための情報を受信し、ＰＵＳＣＨのスケジューリングに用いられるＵＬグラント、ｓＰＵＳＣＨのスケジューリングに用いられるＵＬグラントを受信する受信部と、前記ＰＵＳＣＨのスケジューリングに用いられるＵＬグラントに基づいて、前記第１のモードを用いて、前記ＰＵＳＣＨで、ＣＳＩを送信し、前記ｓＰＵＳＣＨのスケジューリングに用いられるＵＬグラントに基づいて、前記第２のモードを用いて、前記ｓＰＵＳＣＨで、ＣＳＩを送信する。
2017187697.tif 000002
【特許請求の範囲】
【請求項１】
アピリオディックＣＳＩレポーティングの第１のモードを設定するための情報、および、アピリオディックＣＳＩレポーティングの第２のモードを設定するための情報を受信し、
ＰＵＳＣＨのスケジューリングに用いられるＵＬグラント、ｓＰＵＳＣＨのスケジューリングに用いられるＵＬグラントを受信する受信部と、
前記ＰＵＳＣＨのスケジューリングに用いられるＵＬグラントに含まれるＣＳＩリクエストフィールドの第１の値が、アピリオディックＣＳＩレポートをトリガするようにセットされている第１の場合において、前記第１のモードを用いて、前記ＰＵＳＣＨで、ＣＳＩを送信し、
前記ｓＰＵＳＣＨのスケジューリングに用いられるＵＬグラントに含まれる前記ＣＳＩリクエストフィールドの第２の値が、アピリオディックＣＳＩレポートをトリガするようにセットされている第２の場合において、前記第２のモードを用いて、前記ｓＰＵＳＣＨで、ＣＳＩを送信する送信部と、を備える
端末装置。
【請求項２】
前記受信部は、
１つまたは複数のサービングセルの第１のセットを設定するための情報、および、１つまたは複数のサービングセルの第２のセットを設定するための情報を受信し、
前記送信部は、
前記第１の場合において、１つまたは複数のサービングセルの第１のセットに対するＣＳＩを、前記第１のモードを用いて、前記ＰＵＳＣＨで送信し、
前記第２の場合において、１つまたは複数のサービングセルの第２のセットに対するＣＳＩを、前記第２のモードを用いて、前記ｓＰＵＳＣＨで送信する
請求項１に記載の端末装置。
【請求項３】
前記第１の値と前記第２の値は、同一である
請求項１または請求項２に記載の端末装置。
【請求項４】
前記ＰＵＳＣＨは、ある１つのサブフレームに含まれる全てのＳＣ−ＦＤＭＡシンボルにマップされ、前記ｓＰＵＳＣＨは、ある１つのサブフレームに含まれる一部のＳＣ−ＦＤＭＡシンボルにマップされる
請求項１から請求項３の何れかに記載の端末装置。
【請求項５】
前記受信部は、
ピリオディックＣＳＩレポーティングの第３のモードを設定するための情報を受信し、
前記送信部は、
前記第３のモードを用いて、ＰＵＣＣＨ、および、ｓＰＵＣＣＨの何れかで、ＣＳＩを送信する
請求項１から請求項４の何れかに記載の端末装置。
【請求項６】
前記ＰＵＣＣＨは、ある１つのサブフレームに含まれる全てのＳＣ−ＦＤＭＡシンボルにマップされ、前記ｓＰＵＣＣＨは、ある１つのサブフレームに含まれる一部のＳＣ−ＦＤＭＡシンボルにマップされる
請求項５に記載の端末装置。
【請求項７】
アピリオディックＣＳＩレポーティングの第１のモードを設定するための情報、および、アピリオディックＣＳＩレポーティングの第２のモードを設定するための情報を送信し、
ＰＵＳＣＨのスケジューリングに用いられるＵＬグラント、ｓＰＵＳＣＨのスケジューリングに用いられるＵＬグラントを送信する送信部と、
前記ＰＵＳＣＨのスケジューリングに用いられるＵＬグラントに含まれるＣＳＩリクエストフィールドの第１の値を、アピリオディックＣＳＩレポートをトリガするようにセットしている第１の場合において、前記第１のモードを用いて、前記ＰＵＳＣＨで、ＣＳＩを受信し、
前記ｓＰＵＳＣＨのスケジューリングに用いられるＵＬグラントに含まれる前記ＣＳＩリクエストフィールドの第２の値を、アピリオディックＣＳＩレポートをトリガするようにセットしている第２の場合において、前記第２のモードを用いて、前記ｓＰＵＳＣＨで、ＣＳＩを受信する受信部と、を備える
基地局装置。
【請求項８】
前記送信部は、
１つまたは複数のサービングセルの第１のセットを設定するための情報、および、１つまたは複数のサービングセルの第２のセットを設定するための情報を送信し、
前記受信部は、
前記第１の場合において、１つまたは複数のサービングセルの第１のセットに対するＣＳＩを、前記第１のモードを用いて、前記ＰＵＳＣＨで受信し、
前記第２の場合において、１つまたは複数のサービングセルの第２のセットに対するＣＳＩを、前記第２のモードを用いて、前記ｓＰＵＳＣＨで受信する
請求項７に記載の基地局装置。
【請求項９】
前記第１の値と前記第２の値は、同一である
請求項７または請求項８に記載の基地局装置。
【請求項１０】
前記ＰＵＳＣＨは、ある１つのサブフレームに含まれる全てのＳＣ−ＦＤＭＡシンボルにマップされ、前記ｓＰＵＳＣＨは、ある１つのサブフレームに含まれる一部のＳＣ−ＦＤＭＡシンボルにマップされる
請求項７から請求項９の何れかに記載の基地局装置。
【請求項１１】
前記送信部は、
ピリオディックＣＳＩレポーティングの第３のモードを設定するための情報を送信し、
前記受信部は、
前記第３のモードを用いて、ＰＵＣＣＨ、および、ｓＰＵＣＣＨの何れかで、ＣＳＩを受信する
請求項７から請求項１０の何れかに記載の基地局装置。
【請求項１２】
前記ＰＵＣＣＨは、ある１つのサブフレームに含まれる全てのＳＣ−ＦＤＭＡシンボルにマップされ、前記ｓＰＵＣＣＨは、ある１つのサブフレームに含まれる一部のＳＣ−ＦＤＭＡシンボルにマップされる
請求項１１に記載の基地局装置。
【請求項１３】
アピリオディックＣＳＩレポーティングの第１のモードを設定するための情報、および、アピリオディックＣＳＩレポーティングの第２のモードを設定するための情報を受信し、
ＰＵＳＣＨのスケジューリングに用いられるＵＬグラント、ｓＰＵＳＣＨのスケジューリングに用いられるＵＬグラントを受信し、
前記ＰＵＳＣＨのスケジューリングに用いられるＵＬグラントに含まれるＣＳＩリクエストフィールドの第１の値が、アピリオディックＣＳＩレポートをトリガするようにセットされている第１の場合において、前記第１のモードを用いて、前記ＰＵＳＣＨで、ＣＳＩを送信し、
前記ｓＰＵＳＣＨのスケジューリングに用いられるＵＬグラントに含まれる前記ＣＳＩリクエストフィールドの第２の値が、アピリオディックＣＳＩレポートをトリガするようにセットされている第２の場合において、前記第２のモードを用いて、前記ｓＰＵＳＣＨで、ＣＳＩを送信する
端末装置の通信方法。
【請求項１４】
アピリオディックＣＳＩレポーティングの第１のモードを設定するための情報、および、アピリオディックＣＳＩレポーティングの第２のモードを設定するための情報を送信し、
ＰＵＳＣＨのスケジューリングに用いられるＵＬグラント、ｓＰＵＳＣＨのスケジューリングに用いられるＵＬグラントを送信し、
前記ＰＵＳＣＨのスケジューリングに用いられるＵＬグラントに含まれるＣＳＩリクエストフィールドの第１の値を、アピリオディックＣＳＩレポートをトリガするようにセットしている第１の場合において、前記第１のモードを用いて、前記ＰＵＳＣＨで、ＣＳＩを受信し、
前記ｓＰＵＳＣＨのスケジューリングに用いられるＵＬグラントに含まれる前記ＣＳＩリクエストフィールドの第２の値を、アピリオディックＣＳＩレポートをトリガするようにセットしている第２の場合において、前記第２のモードを用いて、前記ｓＰＵＳＣＨで、ＣＳＩを受信する
基地局装置の通信方法。
【請求項１５】
アピリオディックＣＳＩレポーティングの第１のモードを設定するための情報、および、アピリオディックＣＳＩレポーティングの第２のモードを設定するための情報を受信し、
ＰＵＳＣＨのスケジューリングに用いられるＵＬグラント、ｓＰＵＳＣＨのスケジューリングに用いられるＵＬグラントを受信する機能と、
前記ＰＵＳＣＨのスケジューリングに用いられるＵＬグラントに含まれるＣＳＩリクエストフィールドの第１の値が、アピリオディックＣＳＩレポートをトリガするようにセットされている第１の場合において、前記第１のモードを用いて、前記ＰＵＳＣＨで、ＣＳＩを送信し、
前記ｓＰＵＳＣＨのスケジューリングに用いられるＵＬグラントに含まれる前記ＣＳＩリクエストフィールドの第２の値が、アピリオディックＣＳＩレポートをトリガするようにセットされている第２の場合において、前記第２のモードを用いて、前記ｓＰＵＳＣＨで、ＣＳＩを送信する機能と、を端末装置に発揮させる
前記端末装置に搭載される集積回路。
【請求項１６】
アピリオディックＣＳＩレポーティングの第１のモードを設定するための情報、および、アピリオディックＣＳＩレポーティングの第２のモードを設定するための情報を送信し、
ＰＵＳＣＨのスケジューリングに用いられるＵＬグラント、ｓＰＵＳＣＨのスケジューリングに用いられるＵＬグラントを送信する機能と、
前記ＰＵＳＣＨのスケジューリングに用いられるＵＬグラントに含まれるＣＳＩリクエストフィールドの第１の値を、アピリオディックＣＳＩレポートをトリガするようにセットしている第１の場合において、前記第１のモードを用いて、前記ＰＵＳＣＨで、ＣＳＩを受信し、
前記ｓＰＵＳＣＨのスケジューリングに用いられるＵＬグラントに含まれる前記ＣＳＩリクエストフィールドの第２の値を、アピリオディックＣＳＩレポートをトリガするようにセットしている第２の場合において、前記第２のモードを用いて、前記ｓＰＵＳＣＨで、ＣＳＩを受信する機能と、を基地局装置に発揮させる
前記基地局装置に搭載される集積回路。
【発明の詳細な説明】
【技術分野】
【０００１】
本発明は、端末装置、基地局装置、通信方法、および、集積回路に関する。
本願は、２０１６年４月２８日に、日本に出願された特願２０１６−０９０４６４号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project : 3GPP）において検討されている（非特許文献１）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。ここで、単一の基地局装置は複数のセルを管理してもよい。【０００３】
３ＧＰＰにおいて、待ち時間の縮小の強化（latency reduction enhancements）が検討されている。例えば、待ち時間の縮小の解決策として、セミパーシステントスケジューリング（Semi-Persistent Scheduling : SPS）や上りリンクグラント受信（UL Grant reception）、設定されたセミパーシステントスケジューリングの活性化および非活性化（Configured SPS activation and deactivation）が検討されている（非特許文献１）。
【先行技術文献】
【非特許文献】
【０００４】
【非特許文献１】3GPP TR 36.881 V0.5.2 (2016-02) Evolved Universal Terrestrial Radio Access (E-UTRA); Study on latency reduction techniques for LTE (Release 13), R2-161963, Ericsson.
【発明の概要】
【発明が解決しようとする課題】
【０００５】
しかしながら、上述のような無線通信システムにおいて、下りリンクにおけるチャネル状態情報（Channel state information : CSI）が送信される際の手順について、具体的な方法は十分に検討されていなかった。【０００６】
本発明は上記の点に鑑みてなされたものであり、その目的は、チャネル状態情報を効率的に送信することができる端末装置、基地局装置、通信方法、および、集積回路を提供することを目的とする。
【課題を解決するための手段】
【０００７】
（１）上記の目的を達成するために、本発明の態様は、以下のような手段を講じた。すなわち、本発明の一態様における端末装置は、アピリオディックＣＳＩレポーティングの第１のモードを設定するための情報、および、アピリオディックＣＳＩレポーティングの第２のモードを設定するための情報を受信し、ＰＵＳＣＨのスケジューリングに用いられるＵＬグラント、ｓＰＵＳＣＨのスケジューリングに用いられるＵＬグラントを受信する受信部と、前記ＰＵＳＣＨのスケジューリングに用いられるＵＬグラントに含まれるＣＳＩリクエストフィールドの第１の値が、アピリオディックＣＳＩレポートをトリガするようにセットされている第１の場合において、前記第１のモードを用いて、前記ＰＵＳＣＨで、ＣＳＩを送信し、前記ｓＰＵＳＣＨのスケジューリングに用いられるＵＬグラントに含まれる前記ＣＳＩリクエストフィールドの第２の値が、アピリオディックＣＳＩレポートをトリガするようにセットされている第２の場合において、前記第２のモードを用いて、前記ｓＰＵＳＣＨで、ＣＳＩを送信する送信部と、を備える。【０００８】
（２）また、本発明の一態様における基地局装置は、アピリオディックＣＳＩレポーティングの第１のモードを設定するための情報、および、アピリオディックＣＳＩレポーティングの第２のモードを設定するための情報を送信し、ＰＵＳＣＨのスケジューリングに用いられるＵＬグラント、ｓＰＵＳＣＨのスケジューリングに用いられるＵＬグラントを送信する送信部と、前記ＰＵＳＣＨのスケジューリングに用いられるＵＬグラントに含まれるＣＳＩリクエストフィールドの第１の値を、アピリオディックＣＳＩレポートをトリガするようにセットしている第１の場合において、前記第１のモードを用いて、前記ＰＵＳＣＨで、ＣＳＩを受信し、前記ｓＰＵＳＣＨのスケジューリングに用いられるＵＬグラントに含まれる前記ＣＳＩリクエストフィールドの第２の値を、アピリオディックＣＳＩレポートをトリガするようにセットしている第２の場合において、前記第２のモードを用いて、前記ｓＰＵＳＣＨで、ＣＳＩを受信する受信部と、を備える。【０００９】
（３）また、本発明の一態様における端末装置の通信方法は、アピリオディックＣＳＩレポーティングの第１のモードを設定するための情報、および、アピリオディックＣＳＩレポーティングの第２のモードを設定するための情報を受信し、ＰＵＳＣＨのスケジューリングに用いられるＵＬグラント、ｓＰＵＳＣＨのスケジューリングに用いられるＵＬグラントを受信し、前記ＰＵＳＣＨのスケジューリングに用いられるＵＬグラントに含まれるＣＳＩリクエストフィールドの第１の値が、アピリオディックＣＳＩレポートをトリガするようにセットされている第１の場合において、前記第１のモードを用いて、前記ＰＵＳＣＨで、ＣＳＩを送信し、前記ｓＰＵＳＣＨのスケジューリングに用いられるＵＬグラントに含まれる前記ＣＳＩリクエストフィールドの第２の値が、アピリオディックＣＳＩレポートをトリガするようにセットされている第２の場合において、前記第２のモードを用いて、前記ｓＰＵＳＣＨで、ＣＳＩを送信する。【００１０】
（４）また、本発明の一態様における基地局装置の通信方法は、アピリオディックＣＳＩレポーティングの第１のモードを設定するための情報、および、アピリオディックＣＳＩレポーティングの第２のモードを設定するための情報を送信し、ＰＵＳＣＨのスケジューリングに用いられるＵＬグラント、ｓＰＵＳＣＨのスケジューリングに用いられるＵＬグラントを送信し、前記ＰＵＳＣＨのスケジューリングに用いられるＵＬグラントに含まれるＣＳＩリクエストフィールドの第１の値を、アピリオディックＣＳＩレポートをトリガするようにセットしている第１の場合において、前記第１のモードを用いて、前記ＰＵＳＣＨで、ＣＳＩを受信し、前記ｓＰＵＳＣＨのスケジューリングに用いられるＵＬグラントに含まれる前記ＣＳＩリクエストフィールドの第２の値を、アピリオディックＣＳＩレポートをトリガするようにセットしている第２の場合において、前記第２のモードを用いて、前記ｓＰＵＳＣＨで、ＣＳＩを受信する。【００１１】
（５）また、本発明の一態様における端末装置に搭載される集積回路は、アピリオディックＣＳＩレポーティングの第１のモードを設定するための情報、および、アピリオディックＣＳＩレポーティングの第２のモードを設定するための情報を受信し、ＰＵＳＣＨのスケジューリングに用いられるＵＬグラント、ｓＰＵＳＣＨのスケジューリングに用いられるＵＬグラントを受信する機能と、前記ＰＵＳＣＨのスケジューリングに用いられるＵＬグラントに含まれるＣＳＩリクエストフィールドの第１の値が、アピリオディックＣＳＩレポートをトリガするようにセットされている第１の場合において、前記第１のモードを用いて、前記ＰＵＳＣＨで、ＣＳＩを送信し、前記ｓＰＵＳＣＨのスケジューリングに用いられるＵＬグラントに含まれる前記ＣＳＩリクエストフィールドの第２の値が、アピリオディックＣＳＩレポートをトリガするようにセットされている第２の場合において、前記第２のモードを用いて、前記ｓＰＵＳＣＨで、ＣＳＩを送信する機能と、を端末装置に発揮させる。【００１２】
（６）また、本発明の一態様における基地局装置に搭載される集積回路は、アピリオディックＣＳＩレポーティングの第１のモードを設定するための情報、および、アピリオディックＣＳＩレポーティングの第２のモードを設定するための情報を送信し、ＰＵＳＣＨのスケジューリングに用いられるＵＬグラント、ｓＰＵＳＣＨのスケジューリングに用いられるＵＬグラントを送信する機能と、前記ＰＵＳＣＨのスケジューリングに用いられるＵＬグラントに含まれるＣＳＩリクエストフィールドの第１の値を、アピリオディックＣＳＩレポートをトリガするようにセットしている第１の場合において、前記第１のモードを用いて、前記ＰＵＳＣＨで、ＣＳＩを受信し、前記ｓＰＵＳＣＨのスケジューリングに用いられるＵＬグラントに含まれる前記ＣＳＩリクエストフィールドの第２の値を、アピリオディックＣＳＩレポートをトリガするようにセットしている第２の場合において、前記第２のモードを用いて、前記ｓＰＵＳＣＨで、ＣＳＩを受信する機能と、を基地局装置に発揮させる。
【発明の効果】
【００１３】
この発明によれば、チャネル状態情報を効率的に送信することができる。
【図面の簡単な説明】
【００１４】
【図１】本実施形態における無線通信システムの概念を示す図である。
【図２】本実施形態における無線リソースの構成を示す図である。
【図３】本実施形態におけるチャネル状態情報の送信方法を示す図である。
【図４】本実施形態におけるチャネル状態情報の送信方法を示す別の図である。
【図５】本実施形態におけるチャネル状態情報の送信方法を示す別の図である。
【図６】本実施形態におけるレポーティングモードを説明するための図である。
【図７】本実施形態におけるチャネル状態情報の送信方法を示す別の図である。
【図８】本実施形態におけるチャネル状態情報の送信方法を示す別の図である。
【図９】本実施形態における端末装置１の構成を示す概略ブロック図である。
【図１０】本実施形態における基地局装置３の構成を示す概略ブロック図である。
【発明を実施するための形態】
【００１５】
以下、本発明の実施形態について説明する。
【００１６】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１７】
本実施形態における物理チャネルおよび物理信号について説明する。
【００１８】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ｓＰＵＣＣＨ（short Physical Uplink Control Channel, PUCCH for short TTI）
・ＰＵＳＣＨ（Physical Uplink Shared Channel）
・ｓＰＵＳＣＨ（short Physical Uplink Shared Channel, PUSCH for short TTI）
・ＰＲＡＣＨ（Physical Random Access Channel）
・ｓＰＲＡＣＨ（short Physical Random Access Channel, PRACH for short TTI）
【００１９】
ＰＵＣＣＨ、および／または、ｓＰＵＣＣＨは、上りリンク制御情報（Uplink Control Information : UCI）を送信するために用いられる。以下、ＰＵＣＣＨは、ｓＰＵＣＣＨを含んでもよい。ここで、上りリンク制御情報には、下りリンクのチャネルの状態を示すために用いられるチャネル状態情報（Channel State Information : CSI）が含まれてもよい。また、上りリンク制御情報には、ＵＬ−ＳＣＨのリソースを要求するために用いられるスケジューリング要求（Scheduling Request : SR）が含まれてもよい。また、上りリンク制御情報には、ＨＡＲＱ−ＡＣＫ（Hybrid Automatic Repeat request ACKnowledgement）が含まれてもよい。
【００２０】
ここで、ＨＡＲＱ−ＡＣＫは、下りリンクデータ（Transport block, Medium Access Control Protocol Data Unit : MAC PDU, Downlink-Shared Channel : DL-SCH, Physical Downlink Shared Channel : PDSCH）に対するＨＡＲＱ−ＡＣＫを示してもよい。すなわち、ＨＡＲＱ−ＡＣＫは、下りリンクデータに対するＡＣＫ（acknowledgement, positive-acknowledgment）またはＮＡＣＫ（negative-acknowledgement）を示してもよい。また、ＣＳＩは、チャネル品質インディケータ（CQI: Channel quality indicator）、プレコーディングマトリックスインディケータ（PMI: Precoding Matrix Indicator）、および／または、ランクインディケーション（RI: Rank Indication）で構成されてもよい。
【００２１】
ＰＵＳＣＨ、および／または、ｓＰＵＳＣＨは、上りリンクデータ（Uplink-Shared Channel : UL-SCH）を送信するために用いられる。以下、ＰＵＳＣＨは、ｓＰＵＳＣＨを含んでもよい。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２２】
ここで、基地局装置３と端末装置１は、上位層（higher layer）において信号をやり取り（送受信）してもよい。例えば、基地局装置３と端末装置１は、無線リソース制御（Radio Resource Control : RRC）層において、ＲＲＣシグナリング（RRC message、RRC informationとも称される）を送受信してもよい。また、基地局装置３と端末装置１は、ＭＡＣ（Medium Access Control）層において、ＭＡＣコントロールエレメントをやり取り（送受信）してもよい。ここで、ＲＲＣシグナリング、および／または、ＭＡＣコントロールエレメントを、上位層の信号（higher layer signaling）とも称する。
【００２３】
ここで、本実施形態において、「上位層のパラメータ」、「上位層のメッセージ」、「上位層の信号」、「上位層の情報」、および、「上位層の情報要素」は、同一のものであってもよい。
【００２４】
また、ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置スペシフィック（ユーザー装置固有）な情報は、ある端末装置１に対して専用のシグナリングを用いて送信されてもよい。
【００２５】
ＰＲＡＣＨ、および／または、ｓＰＲＡＣＨは、ランダムアクセスプリアンブルを送信するために用いられる。以下、ＰＲＡＣＨは、ｓＰＲＡＣＨを含んでもよい。例えば、ＰＲＡＣＨ（または、ランダムアクセスプロシージャ）は、端末装置１が、基地局装置３と時間領域の同期を取ることを主な目的として用いられる。また、ＰＲＡＣＨ（または、ランダムアクセスプロシージャ）は、初期コネクション確立（initial connection establishment）プロシージャ、ハンドオーバプロシージャ、コネクション再確立（connection re-establishment）プロシージャ、上りリンク送信に対する同期（タイミング調整）、および、スケジューリング要求（ＰＵＳＣＨリソースの要求、ＵＬ−ＳＣＨリソースの要求）の送信のためにも用いられてもよい。
【００２６】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal : UL RS）
【００２７】
本実施形態において、以下の２つのタイプの上りリンク参照信号が用いられる。
・ＤＭＲＳ（Demodulation Reference Signal）
・ＳＲＳ（Sounding Reference Signal）
【００２８】
ＤＭＲＳは、ＰＵＳＣＨ、ｓＰＵＳＣＨ、および／または、ＰＵＣＣＨの送信に関連する。すなわち、ＤＭＲＳは、ＰＵＳＣＨ、ｓＰＵＳＣＨ、または、ＰＵＣＣＨと時間多重されてもよい。例えば、基地局装置３は、ＰＵＳＣＨ、ｓＰＵＳＣＨ、または、ＰＵＣＣＨの伝搬路補正を行なうためにＤＭＲＳを使用してもよい。
【００２９】
以下、ＰＵＳＣＨとＤＭＲＳを共に送信することを、単にＰＵＳＣＨを送信する（ＰＵＳＣＨでの送信を行う）とも称する。また、ｓＰＵＳＣＨとＤＭＲＳを共に送信することを、単にｓＰＵＳＣＨを送信する（ｓＰＵＳＣＨでの送信を行う）とも称する。また、ＰＵＣＣＨとＤＭＲＳを共に送信することを、単にＰＵＣＣＨを送信する（ＰＵＣＣＨでの送信を行う）とも称する。
【００３０】
ＳＲＳは、ＰＵＳＣＨまたはＰＵＣＣＨの送信に関連しない。例えば、基地局装置３は、上りリンクのチャネル状態を測定するためにＳＲＳを使用してもよい。
【００３１】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ｓＰＤＣＣＨ（short Physical Downlink Control Channel, PDCCH for short TTI）
・ＰＤＳＣＨ（Physical Downlink Shared Channel）
・ｓＰＤＳＣＨ（short Physical Downlink Shared Channel, PDSCH for short TTI）
・ＰＭＣＨ（Physical Multicast Channel）
【００３２】
ＰＢＣＨは、端末装置１で共通に用いられるマスターインフォメーションブロック（Master Information Block: MIB, Broadcast Channel: BCH）を報知するために用いられる。
【００３３】
ＰＣＦＩＣＨは、ＰＤＣＣＨの送信に用いられる領域（ＯＦＤＭシンボル）を指示する情報を送信するために用いられる。
【００３４】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３５】
ＰＤＣＣＨ、ＥＰＤＣＣＨ、および／または、ｓＰＤＣＣＨは、下りリンク制御情報（Downlink Control Information: DCI）を送信するために用いられる。本実施形態において、ＰＤＣＣＨは、ＥＰＤＣＣＨを含んでもよい。また、ＰＤＣＣＨは、ｓＰＤＣＣＨを含んでもよい。
【００３６】
ここで、ＰＤＣＣＨ、ＥＰＤＣＣＨ、および／または、ｓＰＤＣＣＨで送信される下りリンク制御情報に対して、複数のＤＣＩフォーマットが定義されてもよい。すなわち、下りリンク制御情報に対するフィールドがＤＣＩフォーマットに定義され、情報ビットへマップされてもよい。
【００３７】
ここで、下りリンクに対するＤＣＩフォーマットを、下りリンクのＤＣＩ、下りリンクグラント（downlink grant）、および／または、下りリンクアサインメント（downlink assignment）とも称する。また、上りリンクに対するＤＣＩフォーマットを、上りリンクのＤＣＩ、上りリンクグラント（Uplink grant）、および／または、上りリンクアサインメント（Uplink assignment）とも称する。
【００３８】
例えば、下りリンクアサインメントとして、１つのセルにおける１つのＰＤＳＣＨのスケジューリングのために用いられるＤＣＩフォーマット（例えば、ＤＣＩフォーマット１、ＤＣＩフォーマット１Ａ、および／または、ＤＣＩフォーマット１Ｃ）が定義されてもよい。
【００３９】
また、上りリンクグラントとして、１つのセルにおける１つのＰＵＳＣＨのスケジューリングのために用いられるＤＣＩフォーマット（例えば、ＤＣＩフォーマット０、および／または、ＤＣＩフォーマット４、以下、第１のＵＬグラント、第１のＵＬ  ＤＣＩとも記載する）が定義されてもよい。
【００４０】
例えば、第１のＵＬグラントには、キャリアインディケータフィールド（CIF: Carrier Indicator Field）が含まれてもよい。また、第１のＵＬグラントには、スケジュールされるＰＵＳＣＨに対する送信電力コマンド（ＴＰＣコマンド：Transmission Power Control Command）に関する情報が含まれてもよい。また、第１のＵＬグラントには、ＤＭＲＳ（ＰＵＳＣＨの送信に関連するＤＭＲＳ）に対するサイクリックシフトに関する情報が含まれてもよい。また、第１のＵＬグラントには、ＭＣＳ（modulation and coding scheme）に関する情報、および／または、リダンダンシーバージョンに関する情報が含まれてもよい。また、第１のＵＬグラントには、リソースブロック割り当て（Resource block assignment）に関する情報、および／または、ホッピングリソース割り当てに関する情報が含まれてもよい。また、第１のＵＬグラントには、ＣＳＩの送信をリクエストするために用いられる情報（CSI request）が含まれてもよい。また、第１のＵＬグラントには、ＳＲＳの送信をリクエストするために用いられる情報（SRS request）が含まれてもよい。
【００４１】
ここで、第１のＵＬグラントは、複数の端末装置１に対して共通なＤＣＩ、および／または、ある１つの端末装置１に対して専用のＤＣＩとして定義されてもよい。すなわち、第１のＵＬグラントは、コモンサーチスペース、および／または、ユーザー装置スペシフィックサーチスペースにおいて送信されてもよい。また、第１のＵＬグラントは、ＰＤＣＣＨ、および／または、ＥＰＤＣＣＨで送信されてもよい。また、第１のＵＬグラントに付加されるＣＲＣパリティビットが、後述する、ＲＮＴＩによってスクランブルされてもよい。
【００４２】
また、第１のＵＬグラントは、ある１つのサブフレームに対する設定を規定するために用いられてもよい。すなわち、第１のＵＬグラントは、ある１つのサブフレームにおいて共通に用いられる設定を指示するために用いられてもよい。すなわち、第１のＵＬグラントを用いて指示される設定は、１つのサブフレーム毎に対して有効であってもよい。すなわち、第１のＵＬグラントは、サブフレームスペシフィックのＵＬグラントであってもよい。すなわち、端末装置１は、第１のＵＬグラントを用いてＰＵＳＣＨがスケジュールされた場合には、あるサブフレームにおいて（あるサブフレーム全てを用いて）、スケジュールされたＰＵＳＣＨでの送信を行ってもよい。
【００４３】
また、上りリンクグラントとして、少なくとも、ＰＵＳＣＨ、ｓＰＵＳＣＨ、および／または、ｓＰＤＣＣＨに対する周波数リソースの割り当てに関連する情報（例えば、ＰＵＳＣＨ、ｓＰＵＳＣＨ、および／または、ｓＰＤＣＣＨに対する物理リソースブロックの割り当てに関連する情報）が含まれるＤＣＩフォーマット（以下、第２のＵＬグラント、第２のＵＬ  ＤＣＩとも記載する）が定義されてもよい。すなわち、第２のＵＬグラントは、少なくとも、ＰＵＳＣＨ、ｓＰＵＳＣＨ、および／または、ｓＰＤＣＣＨのスケジューリングに用いられてもよい。
【００４４】
例えば、第２のＵＬグラントには、スケジュールされるＰＵＳＣＨ、スケジュールされるｓＰＵＳＣＨ、および／または、スケジュールされるｓＰＤＣＣＨに対する帯域幅に関連する情報が含まれてもよい。すなわち、第２のＵＬグラントには、ＰＵＳＣＨでの送信、ｓＰＵＳＣＨでの送信、および／または、ｓＰＤＣＣＨでの送信に対する、スケジュールされる帯域幅に関連する情報が含まれてもよい。
【００４５】
例えば、第２のＵＬグラントには、スケジュールされるＰＵＳＣＨ、スケジュールされるｓＰＵＳＣＨ、および／または、スケジュールされるｓＰＤＣＣＨに対する物理リソースブロックの開始位置（および／または、終了位置、例えば、開始位置からの長さ）に関連する情報が含まれてもよい。また、第２のＵＬグラントには、スケジュールされるＰＵＳＣＨ、スケジュールされるｓＰＵＳＣＨ、スケジュールされるｓＰＤＣＣＨに対する物理リソースブロックを指示するための情報が含まれてもよい。
【００４６】
ここで、第２のＵＬグラントには、キャリアインディケータフィールド（CIF: Carrier Indicator Field）が含まれてもよい。また、第２のＵＬグラントには、スケジュールされるＰＵＳＣＨに対する送信電力コマンド（ＴＰＣコマンド：Transmission Power Control Command）に関する情報が含まれてもよい。また、第２のＵＬグラントには、スケジュールされるｓＰＵＳＣＨに対する送信電力コマンドに関する情報が含まれてもよい。また、第２のＵＬグラントには、ＤＭＲＳ（ＰＵＳＣＨ、および／または、ｓＰＵＳＣＨの送信に関連するＤＭＲＳ）に対するサイクリックシフトに関する情報が含まれてもよい。また、第２のＵＬグラントには、ＭＣＳ（modulation and coding scheme）に関する情報、および／または、リダンダンシーバージョンに関する情報が含まれてもよい。また、第２のＵＬグラントには、リソースブロック割り当て（Resource block assignment）に関する情報、および／または、ホッピングリソース割り当てに関する情報が含まれてもよい。また、第２のＵＬグラントには、ＣＳＩの送信をリクエストするために用いられる情報（CSI request）が含まれてもよい。また、第２のＵＬグラントには、ＳＲＳの送信をリクエストするために用いられる情報（SRS request）が含まれてもよい。
【００４７】
ここで、第２のＵＬグラントを用いて送信される情報（一部、または、全ての情報）は、上位層の信号（例えば、ＭＡＣ層における信号、および／または、ＲＲＣ層における信号）を用いて送信されてもよい。以下、第２のＵＬグラントを用いて、上述したような下りリンク制御情報が送信されることを記載するが、第２のＵＬグラントを用いて送信される下りリンク制御情報は、上位層の信号を用いて送信されてもよい。
【００４８】
ここで、第２のＵＬグラントは、複数の端末装置１に対して共通なＤＣＩ（ＵＬグラント、Common UL grant、Non-UE specific UL grant）として定義されてもよい。すなわち、第２のＵＬグラントは、後述する、コモンサーチスペースのみにおいて送信されてもよい。また、第２のＵＬグラントは、ＰＤＣＣＨ、および／または、ＥＰＤＣＣＨのみで送信されてもよい。
【００４９】
また、第２のＵＬグラントに付加されるＣＲＣパリティビットが、後述する、ＲＮＴＩによってスクランブルされてもよい。ここで、第２のＵＬグラントに付加されるＣＲＣパリティビットは、第１のＵＬ−ＲＮＴＩによってスクランブルされてもよい。また、第２のＵＬグラントが送信されるサーチスペース（例えば、コモンサーチスペース）は、少なくとも、第１のＵＬ−ＲＮＴＩによって与えられてもよい。
【００５０】
また、第２のＵＬグラントは、ある１つのサブフレームに対する設定を規定するために用いられてもよい。すなわち、第２のＵＬグラントは、ある１つのサブフレームにおいて共通に用いられる設定を指示するために用いられてもよい。すなわち、第２のＵＬグラントを用いて指示される設定は、１つまたは複数のサブフレーム毎に対して有効であってもよい。すなわち、第２のＵＬグラントは、サブフレームスペシフィックのＵＬグラント（a sub-frame specific UL grant）であってもよい。すなわち、端末装置１は、第２のＵＬグラントを用いてＰＵＳＣＨがスケジュールされた場合には、あるサブフレームにおいて（あるサブフレーム全てを用いて）、スケジュールされたＰＵＳＣＨでの送信を行ってもよい。
【００５１】
また、上りリンクグラントとして、少なくとも、ＰＵＳＣＨ、および／または、ｓＰＵＳＣＨに対する時間リソースの割り当てに関する情報が含まれるＤＣＩフォーマット（以下、第３のＵＬグラント、第３のＵＬ  ＤＣＩとも記載する）が定義されてもよい。例えば、第３のＵＬグラントには、ＰＵＳＣＨ、および／または、ｓＰＵＳＣＨでの送信に対する送信時間間隔（Transmission Time Interval : TTI）の割り当てに関連する情報が含まれてもよい。すなわち、第３のＵＬグラントは、少なくとも、ＰＵＳＣＨ、および／または、ｓＰＵＳＣＨのスケジューリングに用いられてもよい。
【００５２】
例えば、第３のＵＬグラントには、スケジュールされるＰＵＳＣＨ、および／または、スケジュールされるｓＰＵＳＣＨに対する送信時間間隔の長さに関連する情報が含まれてもよい。また、第３のＵＬグラントには、スケジュールされるＰＵＳＣＨと共に送信されるＤＭＲＳの位置に関連する情報が含まれてもよい。また、第３のＵＬグラントには、スケジュールされるｓＰＵＳＣＨと共に送信されるＤＭＲＳの位置に関連する情報が含まれてもよい。
【００５３】
また、第３のＵＬグラントには、スケジュールされるＰＵＳＣＨと共に送信されるＤＭＲＳに関する情報（例えば、ＤＭＲＳのサイクリックシフトに関する情報）が含まれてもよい。また、第３のＵＬグラントには、スケジュールされるｓＰＵＳＣＨと共に送信されるＤＭＲＳに関する情報（例えば、ＤＭＲＳのサイクリックシフトに関する情報）が含まれてもよい。また、第３のＵＬグラントには、第３のＵＬグラントの受信（検出）に基づく、ＰＵＳＣＨでの送信および／またはｓＰＵＳＣＨでの送信に対する遅延に関する情報（Grant to Tx delay offset）が含まれてもよい。
【００５４】
ここで、第３のＵＬグラントには、キャリアインディケータフィールド（CIF: Carrier Indicator Field）が含まれてもよい。また、第３のＵＬグラントには、スケジュールされるＰＵＳＣＨに対する送信電力コマンド（ＴＰＣコマンド：Transmission Power Control Command）に関する情報が含まれてもよい。また、第３のＵＬグラントには、スケジュールされるｓＰＵＳＣＨに対する送信電力コマンドに関する情報が含まれてもよい。また、第３のＵＬグラントには、ＤＭＲＳ（ＰＵＳＣＨ、および／または、ｓＰＵＳＣＨの送信に関連するＤＭＲＳ）に対するサイクリックシフトに関する情報が含まれてもよい。また、第３のＵＬグラントには、ＭＣＳ（modulation and coding scheme）に関する情報、および／または、リダンダンシーバージョンに関する情報が含まれてもよい。また、第３のＵＬグラントには、リソースブロック割り当て（Resource block assignment）に関する情報、および／または、ホッピングリソース割り当てに関する情報が含まれてもよい。また、第３のＵＬグラントには、ＣＳＩの送信をリクエストするために用いられる情報（CSI request）が含まれてもよい。また、第３のＵＬグラントには、ＳＲＳの送信をリクエストするために用いられる情報（SRS request）が含まれてもよい。また、第３のＵＬグラントには、後述する、ＴＴＩインデックスに関する情報（TTI index）が含まれてもよい。
【００５５】
ここで、第３のＵＬグラントは、ある１つの端末装置１に対して専用のＤＣＩ（ＵＬグラント、UE-specific UL grant）として定義されてもよい。すなわち、第３のＵＬグラントは、後述する、ＵＥスペシフィックスペースのみにおいて送信されてもよい。また、第３のＵＬグラントは、ＰＤＣＣＨ、ＥＰＤＣＣＨ、および／または、ｓＰＤＣＣＨで送信されてもよい。また、第３のＵＬグラントは、ＰＤＳＣＨで送信されてもよい。
【００５６】
また、第３のＵＬグラントに付加されるＣＲＣパリティビットは、後述する、ＲＮＴＩによってスクランブルされてもよい。ここで、第３のＵＬグラントに付加されるＣＲＣパリティビットは、第３のＵＬ−ＲＮＴＩによってスクランブルされてもよい。また、第３のＵＬグラントが送信されるサーチスペース（例えば、ユーザー装置スペシフィックサーチスペース）は、少なくとも、第２のＵＬ−ＲＮＴＩによって与えられてもよい。
【００５７】
また、第３のＵＬグラントは、ある１つの送信時間間隔に対する設定を規定するために用いられてもよい。すなわち、第３のＵＬグラントは、ある１つの送信時間間隔において用いられる設定を指示するために用いられてもよい。すなわち、第３のＵＬグラントを用いて指示される設定は、１つの送信時間間隔に対して有効であってもよい。すなわち、第２のＵＬグラントは、送信時間間隔スペシフィックのＵＬグラント（a TTI specific UL grant）であってもよい。すなわち、端末装置１は、第３のＵＬグラントを用いてＰＵＳＣＨがスケジュールされた場合には、ある送信時間間隔において（あるサブフレームにおける、ある送信時間間隔において）、スケジュールされたＰＵＳＣＨでの送信を行ってもよい。
【００５８】
ここで、上述したように、第２のＵＬグラントは、第３のＵＬグラントが送信されるｓＰＤＣＣＨのスケジューリングに用いられてもよい。例えば、端末装置１は、第２のＵＬグラントを受信（検出）することによって、第３のＵＬグラントを受信（検出）してもよい。また、端末装置１は、第２のＵＬグラントが送信されるＰＤＣＣＨおよび／またはＥＰＤＣＣＨをモニタ（デコード、検出）することによって、第３のＵＬグラントが送信されるＰＤＣＣＨ、ＥＰＤＣＣＨおよび／またはｓＰＤＣＣＨをモニタ（デコード、検出）してもよい。
【００５９】
ここで、第２のＵＬグラントが送信されるＰＤＣＣＨおよび／またはＥＰＤＣＣＨは、端末装置１によるモニタリングによって検出され、第３のＵＬグラントが送信されるＰＤＣＣＨ、ＥＰＤＣＣＨおよび／またはｓＰＤＣＣＨのリソースは、第２のＵＬグラントに含まれる情報によって、直接的に指示されてもよい。ここで、ＰＤＣＣＨ、ＥＰＤＣＣＨおよび／またはｓＰＤＣＣＨのリソースには、時間リソース、および／または、周波数リソースが含まれてもよい。すなわち、第３のＵＬグラントが送信されるＰＤＣＣＨ、ＥＰＤＣＣＨおよび／またはｓＰＤＣＣＨは、端末装置１によってモニタされなくてもよい。
【００６０】
以下、上りリンクグラント（ＤＣＩフォーマット）は、第１のＵＬグラント、第２のＵＬグラント、および／または、第３のＵＬグラントを含んでもよい。
【００６１】
ここで、端末装置１は、下りリンクアサインメントを用いてＰＤＳＣＨのリソースがスケジュールされた場合には、スケジューリングに基づき、ＰＤＳＣＨで下りリンクデータを受信してもよい。また、端末装置１は、上りリンクグラントを用いてＰＵＳＣＨのリソースがスケジュールされた場合には、スケジューリングに基づき、ＰＵＳＣＨを用いて上りリンクデータおよび／または上りリンク制御情報を送信してもよい。また、端末装置１は、上りリンクグラントを用いてｓＰＵＳＣＨのリソースがスケジュールされた場合には、スケジューリングに基づき、ｓＰＵＳＣＨで上りリンクデータおよび／または上りリンク制御情報を送信してもよい。
【００６２】
また、端末装置１は、ＰＤＣＣＨ候補（PDCCH candidates）、ＥＰＤＣＣＨ候補（EPDCCH candidates）、および／または、ｓＰＤＣＣＨ候補（sPDCCH candidates）のセットをモニタしてもよい。以下、ＰＤＣＣＨは、ＥＰＤＤＣＨおよび／またはｓＰＤＣＣＨを含んでもよい。
【００６３】
ここで、ＰＤＣＣＨ候補とは、基地局装置３によって、ＰＤＣＣＨが、配置および／または送信される可能性のある候補を示していてもよい。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００６４】
ここで、端末装置１が、モニタするＰＤＣＣＨ候補のセットは、サーチスペースとも称される。サーチスペースには、コモンサーチスペース（Common Search Space : CSS）が含まれてもよい。例えば、コモンサーチスペースは、複数の端末装置１に対して共通なスペースとして定義されてもよい。
【００６５】
また、サーチスペースには、ユーザー装置スペシフィックサーチスペース（UE-specific Search Space : USS）が含まれてもよい。例えば、ユーザー装置スペシフィックサーチスペースは、少なくとも、端末装置１に対して割り当てられるＣ−ＲＮＴＩに基づいて与えられてもよい。端末装置１は、コモンサーチスペース、および／または、ユーザー装置スペシフィックサーチスペースにおいて、ＰＤＣＣＨをモニタし、自装置宛てのＰＤＣＣＨを検出してもよい。
【００６６】
また、下りリンク制御情報の送信（ＰＤＣＣＨでの送信）には、基地局装置３が、端末装置１に割り当てたＲＮＴＩが利用されてもよい。具体的には、ＤＣＩフォーマット（下りリンク制御情報でもよい）にＣＲＣ（Cyclic Redundancy check : 巡回冗長検査）パリティビットが付加され、付加された後に、ＣＲＣパリティビットがＲＮＴＩによってスクランブルされてもよい。ここで、ＤＣＩフォーマットに付加されるＣＲＣパリティビットは、ＤＣＩフォーマットのペイロードから得られてもよい。
【００６７】
ここで、本実施形態において、「ＣＲＣパリティビット」、「ＣＲＣビット」、および、「ＣＲＣ」は同一のであってもよい。また、「ＣＲＣパリティビットが付加されたＤＣＩフォーマットが送信されるＰＤＣＣＨ」、「ＣＲＣパリティビットを含み、且つ、ＤＣＩフォーマットを含むＰＤＣＣＨ」、「ＣＲＣパリティビットを含むＰＤＣＣＨ」、および、「ＤＣＩフォーマットを含むＰＤＣＣＨ」は、同一であってもよい。また、「Ｘを含むＰＤＣＣＨ」、および、「ＸをともなうＰＤＣＣＨ」は、同一であってもよい。端末装置１は、ＤＣＩフォーマットをモニタしてもよい。また、端末装置１は、ＤＣＩをモニタしてもよい。また、端末装置１は、ＰＤＣＣＨをモニタしてもよい。
【００６８】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００６９】
ここで、ＲＮＴＩには、Ｃ−ＲＮＴＩ（Cell-Radio Network Temporary Identifier）が含まれてもよい。例えば、Ｃ−ＲＮＴＩは、ＲＲＣ接続およびスケジューリングの識別に対して使用される、端末装置１に対するユニークな（一意的な）識別子であってもよい。また、Ｃ−ＲＮＴＩは、動的（dynamically）にスケジュールされるユニキャスト送信のために利用されてもよい。
【００７０】
また、ＲＮＴＩには、ＳＰＳ  Ｃ−ＲＮＴＩ（Semi-Persistent Scheduling C-RNTI）が含まれてもよい。例えば、ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。ここで、半持続的にスケジュールされる送信とは、周期的（periodically）にスケジュールされる送信の意味が含まれてもよい。
【００７１】
また、ＲＮＴＩには、ＲＡ−ＲＮＴＩ（Random Access RNTI）が含まれてもよい。例えば、ＲＡ−ＲＮＴＩは、ランダムアクセスレスポンスメッセージの送信に対して使用される識別子であってもよい。すなわち、ＲＡ−ＲＮＴＩは、ランダムアクセスプロシージャにおいて、ランダムアクセスレスポンスメッセージの送信のために利用されてもよい。例えば、端末装置１は、ランダムアクセスプリアンブルを送信した場合において、ＲＡ−ＲＮＴＩによってスクランブルされたＣＲＣを伴うＰＤＣＣＨをモニタしてもよい。また、端末装置１は、ＲＡ−ＲＮＴＩによってスクランブルされたＣＲＣを伴うＰＤＣＣＨの検出に基づいて、ＰＤＳＣＨでランダムアクセスレスポンスを受信してもよい。
【００７２】
ここで、Ｃ−ＲＮＴＩによってスクランブルされたＣＲＣを伴うＰＤＣＣＨは、ＵＳＳまたはＣＳＳにおいて送信されても良い。また、ＳＰＳ  Ｃ−ＲＮＴＩによってスクランブルされたＣＲＣを伴うＰＤＣＣＨは、ＵＳＳまたはＣＳＳにおいて送信されても良い。また、ＲＡ−ＲＮＴＩによってスクランブルされたＣＲＣを伴うＰＤＣＣＨは、ＣＳＳのみにおいて送信されても良い。
【００７３】
ＰＤＳＣＨは、下りリンクデータ（Downlink Shared Channel: DL-SCH）を送信するために用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれてもよい。また、ＰＤＳＣＨは、ＲＲＣシグナリング、および、ＭＡＣコントロールエレメントを送信するために用いられてもよい。
【００７４】
また、ＰＤＳＣＨは、第３のＵＬグラントを送信するために用いられてもよい。例えば、端末装置１は、基地局装置３によってスケジュールされたＰＤＳＣＨにおいて、第３のＵＬグラント（第３のＵＬグラントに含まれる情報）を受信（検出）してもよい。
【００７５】
ＰＭＣＨは、マルチキャストデータ（Multicast Channel: MCH）を送信するために用いられる。
【００７６】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００７７】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００７８】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００７９】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００８０】
ここで、下りリンク物理チャネルおよび下りリンク物理信号を総称して、下りリンク信号とも称する。また、上りリンク物理チャネルおよび上りリンク物理信号を総称して、上りリンク信号とも称する。下りリンク物理チャネルおよび上りリンク物理チャネルを総称して、物理チャネルとも称する。下りリンク物理信号および上りリンク物理信号を総称して、物理信号とも称する。
【００８１】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００８２】
図２は、本実施形態におけるスロットの構成を示す図である。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現されてもよい。
【００８３】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、リソースグリッド内のエレメントのそれぞれはリソースエレメントと称される。
【００８４】
ここで、リソースエレメントは、周波数領域のインデックス（frequency-domain index: k）と時間領域のインデックス（time-domain index : m）によって表現されてもよい。すなわち、リソースエレメントは、サブキャリアの番号（周波数領域のインデックス: k）と、ＯＦＤＭシンボルまたはＳＣ−ＦＤＭＡシンボルの番号（時間領域のインデックス: m）とを用いて識別されてもよい。
【００８５】
すなわち、下りリンクにおいて、サブキャリアの数として表現される、周波数領域におけるリソースブロックのサイズをＮｓｃ、および、Ｎｓｃの倍数として表現される、下りリンク帯域幅の設定をＮＲＢと示す場合において、サブキャリアの番号は、ｋ＝０、…、ＮＲＢＮＳＣ−１と示されてもよい。また、上りリンクにおいて、サブキャリアの数として表現される、周波数領域におけるリソースブロックのサイズをＮｓｃ、および、Ｎｓｃの倍数として表現される、上りリンク帯域幅の設定をＮＲＢと示す場合において、サブキャリアの番号は、ｋ＝０、…、ＮＲＢＮＳＣ−１と示されてもよい。
【００８６】
また、１つの下りリンクのスロットにおけるＯＦＤＭシンボルの番号をＮｓｙｍｂｏｌと示す場合において、ＯＦＤＭシンボルの番号は、ｍ＝０、…、Ｎｓｙｍｂｏｌ−１と示されてもよい。また、１つの上りリンクのスロットにおけるＳＣ−ＦＤＭＡシンボルの番号をＮｓｙｍｂｏｌと示す場合において、ＳＣ−ＦＤＭＡシンボルの番号は、ｍ＝０、…、Ｎｓｙｍｂｏｌ−１と示されてもよい。
【００８７】
ここで、リソースブロックは、ある物理チャネル（ＰＤＳＣＨまたはＰＵＳＣＨなど）のリソースエレメントへのマッピングを表現するために用いられてもよい。また、１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。
【００８８】
また、１つの無線フレームは、＃０から＃１９に番号付けされる２０のスロットから構成されてもよい。例えば、１つの無線フレームは、１０ｍｓであってもよい。また、１つのサブフレームは、２つの連続するスロットから構成されてもよい。例えば、１つのサブフレームは、１ｍｓであってもよく、サブフレームｎは、スロット２ｎおよび２ｎ＋１から構成されてもよい。すなわち、下りリンクにおける１つのサブフレームは、１ｍｓであってもよく、１４ＯＦＤＭシンボルから構成されてもよい。また、上りリンクにおける１つのサブフレームは、１ｍｓであってもよく、１４ＳＣ−ＦＤＭＡシンボルから構成されてもよい。
【００８９】
例えば、下りリンクにおいて、１つのサブフレームは、１４ＯＦＤＭシンボルによって構成されてもよい。また、下りリンクにおいて、１つのスロットは、７ＯＦＤＭシンボルから構成されてもよい。また、上りリンクにおいて、１つのサブフレームは、１４ＳＣ−ＦＤＭＡシンボルによって構成されてもよい。また、上りリンクにおいて、１つのスロットは、１４ＳＣ−ＦＤＭＡシンボルによって構成されてもよい。
【００９０】
ここで、下りリンクにおける送信、および／または、上りリンクにおける送信に対して、送信時間間隔（Transmission Time Interval : TTI）が定義されてもよい。すなわち、下りリンクにおける送信、および／または、上りリンクにおける送信が、１つの送信時間間隔（１つの送信時間間隔の長さ）で実行されてもよい。
【００９１】
例えば、下りリンクにおいて、１、２、３、４、５（１スロット）、６、７、８、９、１０、１１、１２、１３、および／または、１４（１サブフレーム）の長さの送信時間間隔が定義されてもよい。すなわち、下りリンクにおいて、送信時間間隔の長さは、１、２、３、４、５（１スロット）、６、７、８、９、１０、１１、１２、１３、および／または、１４（１サブフレーム）ＯＦＤＭシンボルであってもよい。
【００９２】
また、上りリンクにおいて、１、２、３、４、５（１スロット）、６、７、８、９、１０、１１、１２、１３、および／または、１４（１サブフレーム）の長さの送信時間間隔が定義されてもよい。すなわち、上りリンクにおいて、送信時間間隔の長さは、１、２、３、４、５（１スロット）、６、７、８、９、１０、１１、１２、１３、および／または、１４（１サブフレーム）ＳＣ−ＦＤＭＡシンボルであってもよい。
【００９３】
以下、キャリアアグリゲーションについて説明する。
【００９４】
ここで、端末装置１に対して、１つまたは複数のサービングセルが設定されてもよい。端末装置１が複数のサービングセルを介して通信する技術をセルアグリゲーション、または、キャリアアグリゲーションと称する。
【００９５】
また、設定される１つまたは複数のサービングセルには、１つのプライマリーセルと、１つまたは複数のセカンダリーセルとが含まれてもよい。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。また、プライマリーセルは、ＰＵＣＣＨでの送信に用いられるセルであってもよい。ここで、ＲＲＣコネクションが確立された時点、または、後に、セカンダリーセルが設定されてもよい。
【００９６】
また、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００９７】
端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００９８】
ここで、基地局装置３は、上位層の信号（例えば、ＲＲＣシグナリング）を用いて、１つまたは複数のサービングセルを設定してもよい。例えば、複数のサービングセルのセットをプライマリーセルと共に形成するために、１つまたは複数のセカンダリーセルが設定されてもよい。
【００９９】
また、基地局装置３は、上位層の信号（例えば、ＭＡＣコントロールエレメント）を用いて、１つまたは複数のサービングセルを、活性化（activate）または非活性化（deactivate）してもよい。例えば、基地局装置３は、ＲＲＣシグナリングを用いて設定した１つまたは複数のサービングセルのうちの、１つまたは複数のサービングセルを活性化または非活性化してもよい。ここで、端末装置１は、活性化されたセービングセルのみに対するＣＳＩ（例えば、アピリオディックＣＳＩ）を送信してもよい。
【０１００】
また、上りリンク（例えば、上りリンクコンポーネントキャリア）と下りリンク（例えば、下りリンクコンポーネントキャリア）との間において、リンキング（linking）が定義されてもよい。すなわち、上りリンクと下りリンクとの間におけるリンキングに基づいて、下りリンクアサインメントに対するサービングセル（下りリンクアサインメントによってスケジュールされるＰＤＳＣＨでの送信（下りリンクの送信）が行なわれるサービングセル）が識別されてもよい。また、上りリンクと下りリンクとの間におけるリンキングに基づいて、上りリンクグラントに対するサービングセル（上りリンクグラントによってスケジュールされる（ｓ）ＰＵＳＣＨでの送信（上りリンクの送信）が行なわれるサービングセル）が識別されてもよい。ここで、この場合における、下りリンクアサインメント、または、上りリンクグラントには、キャリアインディケータフィールドは存在しない。
【０１０１】
すなわち、プライマリーセルにおいて受信した下りリンクアサインメントは、プライマリーセルにおける下りリンクの送信に対応してもよい。また、プライマリーセルにおいて受信した上りリンクグラントは、プライマリーセルにおける上りリンクの送信に対応してもよい。また、あるセカンダリーセルにおいて受信した下りリンクアサインメントは、該あるセカンダリーセルにおける下りリンクの送信に対応してもよい。また、あるセカンダリーセルにおいて受信した上りリンクグラントは、該あるセカンダリーセルにおける上りリンクの送信に対応してもよい。
【０１０２】
図３は、本実施形態におけるチャネル状態情報の送信方法を示す図である。上述したように、１つのサブフレームは、２つの連続するスロット（１ｓｔスロット、２ｎｄスロット）から構成されてもよい。また、１つのスロットは、７つのＯＦＤＭシンボル（下りリンク）、または、７つのＳＣ−ＦＤＭＡシンボル（上りリンク）から構成されてもよい。
【０１０３】
ここで、ＣＳＩの送信をリクエストするために用いられる情報（CSI request）へマップされるフィールドをＣＳＩリクエストフィールドとも称する。上述したように、ＣＳＩリクエストフィールドは、第１のＵＬグラントに含まれてもよい。また、ＣＳＩリクエストフィールドは、第２のＵＬグラントに含まれてもよい。また、ＣＳＩリクエストフィールドは、第３のＵＬグラントに含まれてもよい。以下、ＣＳＩリクエストフィールドは、第１のＵＬグラント、および、第３のＵＬグラントに含まれることを記載する。しかしながら、第３のＵＬグラントに含まれるＣＳＩリクエストフィールドは、第２のＵＬグラントに含まれるＣＳＩリクエストフィールドに置き換えられてもよい。
【０１０４】
例えば、基地局装置３は、ＣＳＩリクエストフィールドを用いてレポートをトリガするようセットすることによって、ＰＵＳＣＨを用いたＣＳＩの送信（aperiodic CSI reportとも称される）をトリガしてもよい。また、端末装置１は、ＣＳＩリクエストフィールドを用いてレポートをトリガするようセットされている場合には、アピリオディックＣＳＩレポーティングを実行してもよい。
【０１０５】
例えば、基地局装置３は、‘１’にセットされたＣＳＩリクエストフィールド（１ビットのＣＳＩリクエストフィールド）を用いることによって、レポートをトリガするようセットしてもよい。また、基地局装置３は、‘０１’、‘１０’、または、‘１１’にセットされたＣＳＩリクエストフィールド（２ビットのＣＳＩリクエストフィールド）を用いることによって、レポートをトリガするようセットしてもよい。同様に、基地局装置３は、３ビットのＣＳＩリクエストフィールドを用いて、レポートをトリガするようセットしてもよい。
【０１０６】
端末装置１は、サブフレームｎにおける、あるサービングセルに対する上りリンクグラント（例えば、第１のＵＬグラント）のデコードに基づいて、ＣＳＩリクエストフィールドを用いてレポートをトリガするようセットされている場合には、サブフレームｎ＋ｋ（例えば、ｋは正の整数、４でもよい）における、該あるサービングセルにおいて、ＰＵＳＣＨを用いてアピリオディックＣＳＩレポーティングを実行してもよい。ここで、ＰＵＳＣＨは、ある１つのサブフレームに含まれる全てのＳＣ−ＦＤＭＡシンボルにマップされる。すなわち、端末装置１は、ある１つのサブフレームに含まれる全てのＳＣ−ＦＤＭＡシンボルにおけるＰＵＳＣＨを用いて、アピリオディックＣＳＩレポーティングを実行してもよい。
【０１０７】
また、端末装置１は、あるシンボル（ＯＦＤＭシンボル）ｎにおける、あるサービングセルに対する上りリンクグラント（例えば、第３のＵＬグラント）のデコードに基づいて、ＣＳＩリクエストフィールドを用いてレポートをトリガするようセットされている場合には、あるシンボル（ＳＣ−ＦＤＭＡシンボル）ｎ＋ｍ（例えば、ｍは正の整数）における、該あるサービングセルにおいて、ｓＰＵＳＣＨを用いてアピリオディックＣＳＩレポーティングを実行してもよい。ここで、ｓＰＵＳＣＨは、ある１つのサブフレームに含まれる一部のＳＣ−ＦＤＭＡシンボル（一部のＳＣ−ＦＤＭＡシンボルのみ）にマップされる。すなわち、端末装置１は、ある１つのサブフレームに含まれる一部のＳＣ−ＦＤＭＡシンボルにおけるＰＵＳＣＨを用いて、アピリオディックＣＳＩレポーティングを実行してもよい。
【０１０８】
図３に示すように、サブフレームｎ−６において、基地局装置３は、第１のＵＬグラントを送信することによって、アピリオディックＣＳＩレポートをトリガしてもよい。端末装置１は、サブフレームｎ−２において、ＰＵＳＣＨを用いてアピリオディックＣＳＩレポーティングを実行してもよい。
【０１０９】
また、サブフレームｎ−１における１ｓｔスロットの１番目のシンボル（ＯＦＤＭシンボル）から３番目のシンボル（ＯＦＤＭシンボル）までにおいて、基地局装置３は、第２のＵＬグラントを送信してもよい。ここで、基地局装置３は、端末装置１が第２のＵＬグラントをモニタするサブフレーム、および／または、シンボル（ＯＦＤＭシンボル）を設定してもよい。例えば、基地局装置３は、端末装置１が第２のＵＬグラントをモニタするサブフレーム、および／または、シンボル（ＯＦＤＭシンボル）を設定するために用いられる情報を、上位層の信号（例えば、ＲＲＣシグナリング）を用いて送信してもよい。
【０１１０】
ここで、第２のＵＬグラントは、第２のＵＬグラントが受信されたサブフレームの１つ後のサブフレームに対して有効であってもよい。例えば、サブフレームｎ−１において受信された第２のＵＬグラントは、サブフレームｎに対する設定を指示してもよい。また、サブフレームｎ−１において受信された第２のＵＬグラントは、サブフレームｎにおいて用いられるＰＵＳＣＨ、ｓＰＵＳＣＨ、および／または、ｓＰＤＣＣＨに対する帯域幅（周波数リソース）を指示するために用いられてもよい。
【０１１１】
また、サブフレームｎ−１における２ｎｄスロットの６番目のシンボル（ＳＣ−ＦＤＭＡシンボル）において、基地局装置３は、第３のＵＬグラントを送信することによって、アピリオディックＣＳＩレポートをトリガしてもよい。ここで、第３のＵＬグラントは、ｓＰＤＣＣＨで送信されてもよい。例えば、第３のＵＬグラントを用いて、サブフレームｎにおける１ｓｔスロットの６番目、および、７番目のシンボル（ＳＣ−ＦＤＭＡシンボル）におけるｓＰＵＳＣＨがスケジュールされてもよい。
【０１１２】
すなわち、第２のＵＬグラントを用いて、長さ２（２ＳＣ−ＦＤＭＡシンボル）の送信時間間隔でのｓＰＵＳＣＨでの送信がスケジュールされてもよい。すなわち、端末装置１は、基地局装置３によるスケジューリングに基づいて、サブフレームｎにおける１ｓｔスロットの６番目、および、７番目のシンボル（ＳＣ−ＦＤＭＡシンボル）におけるｓＰＵＳＣＨでの送信を行ってもよい。例えば、端末装置１は、ｓＰＵＳＣＨを用いて、アピリオディックＣＳＩレポーティングを実行してもよい。
【０１１３】
同様に、基地局装置３は、第１のＵＬグラント、および／または、第２のＵＬグラントを送信することによって、アピリオディックＣＳＩレポートをトリガし、端末装置１は、基地局装置３によるスケジューリングに基づいて、ｓＰＵＳＣＨ）を用いて、アピリオディックＣＳＩレポーティングを実行してもよい。
【０１１４】
図４は、本実施形態におけるチャネル状態情報の送信方法を示す図である。図４において、Ｒは、ＤＭＲＳの送信を示している。また、Ｄは、上りリンクデータおよび／または上りリンク制御情報（例えば、アピリオディックＣＳＩ）の送信を示している。すなわち、Ｒは、ｓＰＵＳＣＨでの送信に関連するＤＭＲＳが含まれるＳＣ−ＦＤＭＡシンボルを示している。また、Ｄは、上りリンクデータおよび／または上りリンク制御情報が含まれるＳＣ−ＦＤＭＡシンボルを示している。
【０１１５】
上述したように、図４に示される下りリンク制御情報（ＴＴＩインデックス）は、第３のＵＬグラントに含まれてもよい。すなわち、基地局装置３は、第３のＵＬグラントを用いてＴＴＩインデックスを送信してもよい。例えば、基地局装置３は、‘１’にセットされたＣＳＩリクエストフィールド、および、ＴＴＩインデックスが含まれる第３のＵＬグラントを送信してもよい。端末装置１は、第３のＵＬグラントに含まれるＴＴＩインデックスに基づいて、ｓＰＵＳＣＨでの送信を行ってもよい。すなわち、端末装置１は、第３のＵＬグラントに含まれるＣＳＩリクエストフィールドの値、および、ＴＴＩインデックスの値に基づいて、アピリオディックＣＳＩレポーティングを実行してもよい。
【０１１６】
ここで、例えば、ＴＴＩインデックスは、ｓＰＵＳＣＨでの送信に対する送信時間間隔の長さを指示するために用いられてもよい。また、ＴＴＩインデックスは、ｓＰＵＳＣＨと共に送信されるＤＭＲＳの位置を指示するために用いられてもよい。また、ＴＴＩインデックスは、ｓＰＵＳＣＨと共に送信されるＤＭＲＳのサイクリックシフトの値を指示するために用いられてもよい。また、ＴＴＩインデックスは、第３のＵＬグラントの受信（検出）に基づくｓＰＵＳＣＨでの送信に対する遅延（遅延時間）のオフセット（オフセットの値）を指示ために用いられてもよい。
【０１１７】
図４においては、ＴＴＩインデックスがマップされるフィールドにセットされる１つの値に基づいて、ｓＰＵＳＣＨでの送信に対する送信時間間隔の長さ、ｓＰＵＳＣＨと共に送信されるＤＭＲＳの位置、ｓＰＵＳＣＨと共に送信されるＤＭＲＳのサイクリックシフトの値、および、第３のＵＬグラントの受信に基づくｓＰＵＳＣＨでの送信に対する遅延のオフセットが指示されていることを示している。
【０１１８】
ここで、ｓＰＵＳＣＨでの送信に対する送信時間間隔の長さ、ｓＰＵＳＣＨと共に送信されるＤＭＲＳの位置、ｓＰＵＳＣＨと共に送信されるＤＭＲＳのサイクリックシフトの値、および、第３のＵＬグラントの受信に基づくｓＰＵＳＣＨでの送信に対する遅延のオフセットを指示するために用いられる情報のそれぞれがマップされるフィールドが、それぞれ定義されてもよいことは勿論である。
【０１１９】
例えば、図４に示すように、ＴＴＩインデックスの値として“１３”がセットされた場合には、長さ４（４ＳＣ−ＦＤＭＡシンボル）の送信時間間隔でのｓＰＵＳＣＨでの送信が指示されてもよい。また、ＴＴＩインデックスの値として“１３”がセットされた場合には、ＤＭＲＳの位置として３番目のＳＣ−ＦＤＭＡシンボルが指示されてもよい（ＤＭＲＳが含まれるＳＣ−ＦＤＭＡシンボルとして、３番目のＳＣ−ＦＤＭＡシンボルが指示されてもよい）。
【０１２０】
また、ＴＴＩインデックスの値として“１３”がセットされた場合には、ＤＭＲＳに適用されるサイクリックシフトの値として“４”が指示されてもよい。また、ＴＴＩインデックスの値として“１３”がセットされた場合には、第３のＵＬグラントの受信に基づくｓＰＵＳＣＨでの送信に対する遅延のオフセットとして“０（０ＳＣ−ＦＤＭＡシンボル）”が指示されてもよい。
【０１２１】
同様に、ＴＴＩインデックスの値として“１４”がセットされた場合には、第２のＵＬグラントの受信に基づくｓＰＵＳＣＨでの送信に対する遅延のオフセットとして“２（２ＳＣ−ＦＤＭＡシンボル）”が指示されてもよい。すなわち、第３のＵＬグラントの受信に基づくｓＰＵＳＣＨでの送信（送信に対する最初のシンボル（ＳＣ−ＦＤＭＡシンボル）の位置）を、“２（２ＳＣ−ＦＤＭＡシンボル）”遅延させることが指示されてもよい。
【０１２２】
ここで、ｓＰＵＳＣＨでの送信に対する送信時間間隔の長さ、ｓＰＵＳＣＨと共に送信されるＤＭＲＳの位置、ｓＰＵＳＣＨと共に送信されるＤＭＲＳのサイクリックシフトの値、および／または、第３のＵＬグラントの受信に基づくｓＰＵＳＣＨでの送信に対する遅延のオフセットは、上位層の信号（例えば、ＲＲＣシグナリング）に含まれる情報を用いて設定されてもよい。
【０１２３】
また、ｓＰＵＳＣＨでの送信に対する送信時間間隔の長さを示す複数の値（例えば、４つの値）が上位層の信号に含まれる情報を用いて設定され、該複数の値のうちの１つの値が、第３のＵＬグラントに含まれる情報（例えば、２ビットの情報）を用いて指示されてもよい。
【０１２４】
また、ｓＰＵＳＣＨと共に送信されるＤＭＲＳの位置を示す複数の値（例えば、４つの値）が上位層の信号に含まれる情報を用いて設定され、該複数の値のうちの１つの値が、第３のＵＬグラントに含まれる情報（例えば、２ビットの情報）を用いて指示されてもよい。
【０１２５】
また、ｓＰＵＳＣＨと共に送信されるＤＭＲＳのサイクリックシフトの値を示す複数の値（例えば、４つの値）が上位層の信号に含まれる情報を用いて設定され、該複数の値のうちの１つの値が、第３のＵＬグラントに含まれる情報（例えば、２ビットの情報）を用いて指示されてもよい。
【０１２６】
また、第３のＵＬグラントの受信に基づくＰＵＳＣＨ（ｓＰＵＳＣＨ）での送信に対する遅延のオフセットを示す複数の値（例えば、４つの値）が上位層の信号に含まれる情報を用いて設定され、該複数の値のうちの１つの値が、第３のＵＬグラントに含まれる情報（例えば、２ビットの情報）を用いて指示されてもよい。
【０１２７】
また、ｓＰＵＳＣＨでの送信に対する送信時間間隔の長さ、ｓＰＵＳＣＨと共に送信されるＤＭＲＳの位置、ｓＰＵＳＣＨと共に送信されるＤＭＲＳのサイクリックシフトの値、および／または、第３のＵＬグラントの受信に基づくｓＰＵＳＣＨでの送信に対する遅延のオフセットを示す複数の値のセット（例えば、４つの値のセット）が上位層の信号に含まれる情報を用いて設定され、該複数の値のセットのうちの１つのセットが、第３のＵＬグラントに含まれる情報（例えば、２ビットの情報）を用いて指示されてもよい。
【０１２８】
すなわち、第３のＵＬグラントに含まれる情報（例えば、２ビットの情報）にセットされる１つの値によって、ｓＰＵＳＣＨでの送信に対する送信時間間隔の長さ、ｓＰＵＳＣＨと共に送信されるＤＭＲＳの位置、ｓＰＵＳＣＨと共に送信されるＤＭＲＳのサイクリックシフトの値、および／または、第３のＵＬグラントの受信に基づくｓＰＵＳＣＨでの送信に対する遅延のオフセットが示されてもよい。
【０１２９】
図５は、本実施形態におけるチャネル状態情報の送信方法を示す図である。図５に示すように、ｓＰＵＳＣＨでの送信が行われる送信時間間隔の長さのそれぞれに対して、ＵＬグラント（例えば、第３のＵＬグラント）の最初のシンボルと、ｓＰＵＳＣＨでの送信が行われる最初のシンボルとの間に、固定の遅延（固定の遅延時間）が定義されてもよい。ここで、固定の遅延（固定の遅延時間）は、上述した、ｍ（例えば、ｍは正の整数）の値に対応してもよい。
【０１３０】
例えば、ＵＬグラント（例えば、第３のＵＬグラント）の最初のシンボルと、ｓＰＵＳＣＨでの送信が行われる最初のシンボルとの間の固定の遅延として、送信時間間隔の長さに４を乗算した値が定義されてもよい。ここで、例えば、固定の遅延は、仕様書などによって定義され、基地局装置３と端末装置１との間において、既知の値であってもよい。
【０１３１】
すなわち、例えば、シンボル（ＯＦＤＭシンボル）“ｎ”においてＵＬグラント（例えば、第３のＵＬグラントの最初のシンボル）を検出した場合において、シンボル（ＳＣ−ＦＤＭＡシンボル）“ｎ＋８”において、長さが２（２ＳＣ−ＦＤＭＡシンボル）の送信時間間隔でのｓＰＵＳＣＨでの送信が行なわれてもよい。例えば、端末装置１は、ｓＰＵＳＣＨを用いて、アピリオディックＣＳＩレポーティングを実行してもよい。
【０１３２】
同様に、図５に示すように、送信時間間隔の長さのそれぞれに対応して定義された固定の遅延で、ＰＵＳＣＨ（ｓＰＵＳＣＨ）での送信が行われてもよい。ここで、上述したように、基地局装置３は、第３のＵＬグラントの受信に基づくｓＰＵＳＣＨでの送信に対する遅延のオフセットを指示してもよい。
【０１３３】
すなわち、例えば、シンボル（ＯＦＤＭシンボル）“ｎ”においてＵＬグラント（例えば、第３のＵＬグラントの最初のシンボル）を検出し、且つ、遅延のオフセットとして“２（２ＳＣ−ＦＤＭＡ）”が指示された場合に、シンボル（ＳＣ−ＦＤＭＡシンボル）“ｎ＋１０”において、長さが２（２ＳＣ−ＦＤＭＡシンボル）の送信時間間隔でのｓＰＵＳＣＨでの送信が行なわれてもよい。例えば、端末装置１は、ｓＰＵＳＣＨを用いて、アピリオディックＣＳＩレポーティングを実行してもよい。
【０１３４】
すなわち、ＵＬグラント（例えば、第３のＵＬグラント）の最初のシンボルと、ＰＵＳＣＨ（ｓＰＵＳＣＨ）での送信が行われる最初のシンボルとの間の固定の遅延は、ＵＬグラント（例えば、第３のＵＬグラント）の最初のシンボルと、ｓＰＵＳＣＨでの送信が行われる最初のシンボルとの間の最小の遅延として定義されてもよい。
【０１３５】
また、ＵＬグラント（例えば、第３のＵＬグラント）の最初のシンボルと、ｓＰＵＳＣＨでの送信が行われる最初のシンボルとの間の固定の遅延は、端末装置１によって上りリンクのＨＡＲＱの再送が期待される前の最小のシンボルの数（または、量）（Minimum number/amount of symbols before an UL HARQ retransmission is expected by the terminal apparatus）として定義されてもよい。
【０１３６】
ここで、基地局装置３は、長さが１ｍｓ（１４ＳＣ−ＦＤＭＡシンボル）よりも短い送信時間間隔（または、長さが１ｍｓ（１４ＳＣ−ＦＤＭＡシンボル）以下の送信時間間隔）でのｓＰＵＳＣＨでの送信を端末装置１に対して設定してもよい。以下、基地局装置３が、長さが１ｍｓ（１４ＳＣ−ＦＤＭＡシンボル）よりも短い送信時間間隔（または、長さが１ｍｓ（１４ＳＣ−ＦＤＭＡシンボル）以下の送信時間間隔）でのｓＰＵＳＣＨでの送信を設定することを、ｓＴＴＩ（short Transmission Time Interval）送信を設定するとも記載する。
【０１３７】
ここで、ｓＴＴＩ送信の設定には、第２のＵＬグラント、および／または、第３のＵＬグラントに基づくｓＰＵＳＣＨでの送信が設定されることが含まれてもよい。また、ｓＴＴＩ送信の設定には、端末装置１が、第２のＵＬグラント、および／または、第３のＵＬグラントをモニタすることを設定されることが含まれてもよい。また、ｓＴＴＩ送信の設定には、端末装置１が、第２のＵＬグラント、および／または、第３のＵＬグラントをモニタするサブフレームが設定されることが含まれてもよい。
【０１３８】
例えば、基地局装置３は、ｓＴＴＩ送信の設定に関する情報が含まれる上位層の信号（例えば、ＲＲＣシグナリング）を送信してもよい。ここで、基地局装置３は、ｓＴＴＩ送信をサービングセル毎に設定してもよい。端末装置１は、ｓＴＴＩの送信が設定された場合には、上述したような、長さが１ｍｓ（１４ＳＣ−ＦＤＭＡシンボル）よりも短い送信時間間隔（または、長さが１ｍｓ（１４ＳＣ−ＦＤＭＡシンボル）以下の送信時間間隔）でのｓＰＵＳＣＨでの送信を行ってもよい。例えば、端末装置１は、ｓＰＵＳＣＨを用いて、アピリオディックＣＳＩレポーティングを実行してもよい。
【０１３９】
図６は、本実施形態におけるレポーティングモードを説明するための図である。ここで、アピリオディックＣＳＩレポートのレポーティングモードを、レポーティングモードとも記載する。
【０１４０】
例えば、基地局装置３は、上位層の信号（例えば、ＲＲＣシグナリング）を用いて、レポーティングモードを設定してもよい。すなわち、レポーティングモードとして、図６に示すような、モード１‐０、モード１‐１、モード１‐２、モード２‐０、モード２‐２、モード３‐０、モード３‐１、モード３‐２のいずれかを設定してもよい。
【０１４１】
端末装置１は、レポーティングモード（すなわち、図６に示すような、ＣＱＩおよびＰＭＩのフィードバックタイプ）に基づいて、あるサブフレームにおいて、ＰＵＳＣＨを用いて、アピリオディックＣＳＩレポーティングを実行してもよい。また、端末装置１は、レポーティングモードに基づいて、ある送信時間間隔において、ｓＰＵＳＣＨを用いて、アピリオディックＣＳＩレポーティングを実行してもよい。
【０１４２】
例えば、モード１‐０が設定された場合、あるサブフレームにおいて、単一のワイドバンドＣＱＩのみがレポートされてもよい。また、モード１‐２が設定された場合、あるサブフレームにおいて、単一のＣＱＩ（wideband CQI）、および、複数のＰＭＩ（subband PMI）がレポートされてもよい。
【０１４３】
また、モード２‐０が設定された場合、あるサブフレームにおいて、端末装置１によって選択された、単一のＣＱＩ（wideband CQI）のみがレポートされてもよい。また、モード２‐２が設定された場合、あるサブフレームにおいて、端末装置１によって選択されたサブバンドに関する、単一のＣＱＩ（wideband CQI）、および、複数のＰＭＩ（subband PMI）がレポートされてもよい。
【０１４４】
また、モード３‐０が設定された場合、あるサブフレームにおいて、基地局装置３によって設定されたサブバンドに関する、単一のＣＱＩ（wideband CQI）のみがレポートされてもよい。また、モード３‐１が設定された場合、あるサブフレームにおいて、基地局装置３によって設定されたサブバンドに関する、複数のＣＱＩ（subband CQI）、および、単一のＰＭＩ（single PMI）がレポートされてもよい。また、モード３‐２が設定された場合、あるサブフレームにおいて、基地局装置３によって設定されたサブバンドに関する、複数のＣＱＩ（subband CQI）、および、複数のＰＭＩ（subband PMI）がレポートされてもよい。
【０１４５】
ここで、端末装置１がＣＳＩレポーティングに対して評価するサブバンドのセット（セットＳ、セットＳサブバンドとも称される）は、全体の下りリンクのシステム帯域幅に広がっていてもよい。すなわち、セットＳサブバンドは、下りリンクのシステム帯域幅でもよい。すなわち、ＰＵＳＣＨを用いたアピリオディックＣＳＩレポートと、ｓＰＵＳＣＨを用いたアピリオディックＣＳＩレポートに対して、セットＳサブバンドは共通であってもよい。例えば、基地局装置３は、セットＳサブバンド（共通のセットＳサブバンド）を設定（決定）するために用いられる情報を送信してもよい。
【０１４６】
ここで、ＰＵＳＣＨを用いたアピリオディックＣＳＩレポートと、ｓＰＵＳＣＨを用いたアピリオディックＣＳＩレポートに対して、セットＳサブバンドは独立に設定されてもよい。例えば、基地局装置３は、ＰＵＳＣＨを用いたアピリオディックＣＳＩレポートに対するセットＳサブバンドを設定（決定）するために用いられる情報を送信してもよい。また、基地局装置３は、ｓＰＵＳＣＨを用いたアピリオディックＣＳＩレポートに対するセットＳサブバンドを設定（決定）するために用いられる情報を送信してもよい。
【０１４７】
また、ＰＵＳＣＨを用いたアピリオディックＣＳＩレポートと、ｓＰＵＳＣＨを用いたアピリオディックＣＳＩレポートに対して、ＣＳＩの算出（ＣＳＩの送信）に用いられるサブバンドのサイズは共通であってもよい。例えば、基地局装置３は、サブバンドのサイズ（共通のサブバンドのサイズ）を設定（決定）するために用いられる情報を送信してもよい。
【０１４８】
また、ＰＵＳＣＨを用いたアピリオディックＣＳＩレポートと、ｓＰＵＳＣＨを用いたアピリオディックＣＳＩレポートに対して、サブバンドのサイズは独立に設定されてもよい。例えば、基地局装置３は、ＰＵＳＣＨを用いたアピリオディックＣＳＩレポートに対するサブバンドのサイズを設定（決定）するために用いられる情報を送信してもよい。また、基地局装置３は、ｓＰＵＳＣＨを用いたアピリオディックＣＳＩレポートに対するサブバンドのサイズを設定（決定）するために用いられる情報を送信してもよい。
【０１４９】
図７は、本実施形態におけるチャネル状態情報の送信方法を説明するための図である。
【０１５０】
例えば、基地局装置３は、上位層の信号（例えば、ＲＲＣシグナリング）を用いて、ＰＵＳＣＨに対する第１のレポーティングモード、および、ｓＰＵＳＣＨに対する第２のレポーティングモードを設定してもよい。すなわち、基地局装置３は、ＰＵＳＣＨに対する第１のレポーティングモードを設定するために用いられる情報を送信してもよい。また、基地局装置３は、ｓＰＵＳＣＨに対する第２のレポーティングモードを設定するために用いられる情報を送信してもよい。すなわち、第１のレポーティングモードとして、上述したような、レポーティングモードが設定されてもよい。また、第２のレポーティングモードとして、上述したような、レポーティングモードが設定されてもよい。
【０１５１】
ここで、第１のレポーティングモードは、端末装置１が、ＰＵＳＣＨを用いたアピリオディックＣＳＩレポーティングを実行する際に用いられるレポーティングモードを示していてもよい。すなわち、基地局装置３は、第１のＵＬグラントによって、トリガするようセットしたアピリオディックＣＳＩレポートに対するレポーティングモードを設定してもよい。
【０１５２】
また、第２のレポーティングモードは、端末装置１が、ｓＰＵＳＣＨを用いたアピリオディックＣＳＩレポーティングを実行する際に用いられるレポーティングモードを示していてもよい。すなわち、基地局装置３は、第３のＵＬグラントによって、トリガするようセットしたアピリオディックＣＳＩレポートに対するレポーティングモードを設定してもよい。
【０１５３】
すなわち、基地局装置３は、‘１’にセットされたＣＳＩリクエストフィールドが含まれる第１のＵＬグラントを送信する。端末装置１は、‘１’にセットされたＣＳＩリクエストフィールドが含まれる第１のＵＬグラントの検出（デコード）に基づき、第１のレポーティングモードを用いて、ＰＵＳＣＨで、アピリオディックＣＳＩレポーティングを実行してもよい。
【０１５４】
また、基地局装置３は、‘１’にセットされたＣＳＩリクエストフィールドが含まれる第３のＵＬグラントを送信する。端末装置１は、‘１’にセットされたＣＳＩリクエストフィールドが含まれる第３のＵＬグラントの検出（デコード）に基づき、第２のレポーティングモードを用いて、ｓＰＵＳＣＨで、アピリオディックＣＳＩレポーティングを実行してもよい。
【０１５５】
すなわち、端末装置１は、第１のＵＬグラントに含まれるＣＳＩリクエストフィールドにセットされる値と、第３のＵＬグラントに含まれるＣＳＩリクエストフィールドにセットされる値が、同一の値（‘１’）であったとしても、異なるレポーティングモードを用いて、アピリオディックＣＳＩレポーティングを実行してもよい。
【０１５６】
図８は、本実施形態におけるチャネル状態情報の送信方法を説明するための図である。
【０１５７】
ここで、図８（ａ）は、ＣＳＩリクエストフィールドのサイズが１ビットの場合において、アピリオディックＣＳＩレポートが、いずれのサービングセルに対してトリガされるかを示している。また、図７（ａ）は、ＣＳＩリクエストフィールドのサイズが１ビットの場合において、アピリオディックＣＳＩレポートが、いずれのレポーティングモードを用いて送信されるかを示している。
【０１５８】
同様に、図８（ｂ）は、ＣＳＩリクエストフィールドのサイズが２ビットの場合において、アピリオディックＣＳＩレポートが、いずれのサービングセルに対してトリガされるかを示している。また、図８（ｂ）は、ＣＳＩリクエストフィールドのサイズが１ビットの場合において、アピリオディックＣＳＩレポートが、いずれのレポーティングモードを用いて送信されるかを示している。
【０１５９】
ここで、ＣＳＩリクエストフィールドのサイズは、少なくとも、設定されたサービングセル（下りリンクセル）の数、ＵＬグラント（ＤＣＩフォーマット）がマップされたサーチスペース、および／または、検出された（デコードされた）ＵＬグラントに基づいて決定されてもよい。
【０１６０】
例えば、端末装置１に対して１つのサービングセルが設定された場合には、ＣＳＩリクエストフィールドのサイズとして（ＣＳＩリクエストに対して）、１ビットのフィールドが適用されてもよい。また、ＵＬグラント（ＤＣＩフォーマット）がコモンサーチスペースにマップされた場合には、ＣＳＩリクエストフィールドのサイズとして、１ビットのフィールドが適用されてもよい。また、検出された（デコード）されたＵＬグラントが、第２のＵＬグラント、および／または、第３のＵＬグラントの場合には、ＣＳＩリクエストフィールドのサイズとして、１ビットのフィールドが適用されてもよい。すなわち、第２のＵＬグラント、および／または、第３のＵＬグラントに含まれるＣＳＩリクエストフィールドのサイズは、常に、１ビットであってもよい。
【０１６１】
また、端末装置１に対して１つよりも多く５つ以下（５つよりも少ないでもよい）のサービングセルが設定され、且つ、ＵＬグラント（ＤＣＩフォーマット）がユーザー装置スペシフィックサーチスペースにマップされた場合には、ＣＳＩリクエストフィールドのサイズとして、２ビットのフィールドが適用されてもよい。ここで、上述したように、ユーザー装置スペシフィックサーチスペースは、少なくとも、Ｃ−ＲＮＴＩによって与えられてもよい。例えば、端末装置１に対して１つよりも多く５つ以下のサービングセルが設定され、且つ、第１のＵＬグラントがユーザー装置スペシフィックサーチスペースにマップされた場合には、ＣＳＩリクエストフィールドのサイズとして、２ビットのフィールドが適用されてもよい。
【０１６２】
ここで、基地局装置３は、第２のＵＬグラント、および／または、第３のＵＬグラントに含まれるＣＳＩリクエストフィールドのサイズが２ビットであることを設定するために用いられる情報を送信してもよい。例えば、第２のＵＬグラント、および／または、第３のＵＬグラントに含まれるＣＳＩリクエストフィールドのサイズが２ビットであることを設定するために用いられる情報が含まれる上位層の信号（例えば、ＲＲＣシグナリング）を送信してもよい。
【０１６３】
上述したように、基地局装置３は、上位層の信号（例えば、ＲＲＣシグナリング）を用いて、ＰＵＳＣＨに対する第１のレポーティングモード、および、ｓＰＵＳＣＨに対する第２のレポーティングモードを設定してもよい。
【０１６４】
端末装置１は、‘１’にセットされたＣＳＩリクエストフィールド（１ビットのＣＳＩリクエストフィールド）が含まれる第１のＵＬグラントの検出（デコード）に基づき、第１のレポーティングモードを用いて、アピリオディックＣＳＩレポーティングを実行してもよい。また、端末装置１は、‘１’にセットされたＣＳＩリクエストフィールド（１ビットのＣＳＩリクエストフィールド）が含まれる第１の３Ｌグラントの検出（デコード）に基づき、第２のレポーティングモードを用いて、アピリオディックＣＳＩレポーティングを実行してもよい。
【０１６５】
ここで、ＣＳＩリクエストフィールドのサイズが１ビットの場合において、アピリオディックＣＳＩレポートは、あるサービングセルに対してトリガされてもよい。ここで、アピリオディックＣＳＩレポートがあるサービングセルに対してトリガされるとは、ＣＳＩリクエストフィールドが含まれる上りリンクグラントを用いることによって（ｓ）ＰＵＳＣＨがスケジュールされたサービングセルに対してアピリオディックＣＳＩレポートがトリガされることを示していてもよい。すなわち、ＣＳＩリクエストフィールドのサイズが１ビットの場合には、端末装置１は、（ｓ）ＰＵＳＣＨがスケジュールされた上りリンクコンポーネントキャリアに対応する、下りリンクコンポーネントキャリアに対するアピリオディックＣＳＩをレポートしてもよい。
【０１６６】
ここで、ＣＳＩリクエストフィールドのサイズが２ビットの場合には、アピリオディックＣＳＩレポートは、アピリオディックＣＳＩレポーティングに対応する値に基づいてトリガされてもよい。例えば、ＣＳＩリクエストフィールドの値が‘００’の場合には、アピリオディックＣＳＩレポートはトリガされなくてもよい。また、ＣＳＩリクエストフィールドの値が‘０１’の場合には、アピリオディックＣＳＩレポートは、あるサービングセルに対してトリガされてもよい。また、ＣＳＩリクエストフィールドの値が‘１０’の場合には、アピリオディックＣＳＩレポートは、上位層によって設定された１つまたは複数のサービングセルのセット（a set of one or more serving cells）に対してトリガされてもよい。また、ＣＳＩリクエストフィールドの値が‘１１’の場合には、アピリオディックＣＳＩレポートは、上位層によって設定された１つまたは複数のサービングセルのセット（a set of one or more serving cells）に対してトリガされてもよい。
【０１６７】
すなわち、基地局装置３は、上位層の信号を用いて、ＰＵＳＣＨに対する第１のレポーティングモードを設定するために用いられる情報、および、ｓＰＵＳＣＨに対する第２のレポーティングモードを設定するために用いられる情報を送信してもよい。
【０１６８】
また、基地局装置３は、ＰＵＳＣＨに対する、１つまたは複数のサービングセルの第１のセットを設定するために用いられる情報（以下、第１の情報とも記載する）、および／または、第３のレポーティングモードを設定するために用いられる情報（以下、第２の情報とも記載する）を送信してもよい。また、基地局装置３は、ｓＰＵＳＣＨに対する、１つまたは複数のサービングセルの第２のセットを設定するために用いられる情報（以下、第３の情報とも記載する）、および／または、第４のレポーティングモードを設定するために用いられる情報（以下、第４の情報とも記載する）を送信してもよい。
【０１６９】
また、基地局装置３は、ＰＵＳＣＨに対する、１つまたは複数のサービングセルの第３のセットを設定するために用いられる情報（以下、第５の情報とも記載する）、および／または、第５のレポーティングモードを設定するために用いられる情報（以下、第６の情報とも記載する）を送信してもよい。また、基地局装置３は、ｓＰＵＳＣＨに対する、１つまたは複数のサービングセルの第４のセットを設定するために用いられる情報（以下、第７の情報とも記載する）、および／または、第６のレポーティングモードを設定するために用いられる情報（以下、第８の情報とも記載する）を送信してもよい。
【０１７０】
例えば、基地局装置３は、第１の情報、第２の情報、第３の情報、第４の情報、第５の情報、第６の情報、第７の情報、および／または、第８の情報が含まれる上位層の信号（例えば、ＲＲＣシグナリング）を送信してもよい。例えば、基地局装置３は、第１の情報、第３の情報、第５の情報、および／または、第７の情報が含まれる第９の情報が含まれる上位層の信号（例えば、ＲＲＣシグナリング）を送信してもよい。また、基地局装置３は、第２の情報、第４の情報、第６の情報、および／または、第８の情報が含まれる第１０の情報が含まれる上位層の信号（例えば、ＲＲＣシグナリング）を送信してもよい。すなわち、基地局装置３は、第９の情報、および／または、第１０の情報が含まれる上位層の信号（例えば、ＲＲＣシグナリング）を送信してもよい。
【０１７１】
ここで、第１の情報、および／または、第５の情報のそれぞれは、端末装置１が、ＰＵＳＣＨを用いたアピリオディックＣＳＩレポーティングを実行する際に、いずれのサービングセルに対するアピリオディックＣＳＩレポートがトリガされるかを示すために用いられてもよい。また、第２の情報、および／または、第６の情報のそれぞれは、端末装置１が、ＰＵＳＣＨを用いたアピリオディックＣＳＩレポーティングを実行する際に用いられるレポーティングモードを示すために用いられてもよい。
【０１７２】
また、第３の情報、および／または、第７の情報のそれぞれは、端末装置１が、ｓＰＵＳＣＨを用いたアピリオディックＣＳＩレポーティングを実行する際に、いずれのサービングセルに対するアピリオディックＣＳＩレポートがトリガされるかを示すために用いられてもよい。また、第４の情報、および／または、第８の情報のそれぞれは、端末装置１が、ｓＰＵＳＣＨを用いたアピリオディックＣＳＩレポーティングを実行する際に用いられるレポーティングモードを示すために用いられてもよい。
【０１７３】
すなわち、基地局装置３は、第１のＵＬグラントによってトリガするようセットしたアピリオディックＣＳＩレポートが実行される際に、いずれのサービングセルに対するアピリオディックＣＳＩレポートがトリガされるか、および／または、いずれのレポーティングモードが用いられるのかを設定してもよい。例えば、端末装置１は、第１のＵＬグラントに含まれるＣＳＩリクエストフィールドの値に基づいて、設定されたサービングセルのセットに対するＣＳＩを、設定されたレポーティングモードを用いてレポートしてもよい。
【０１７４】
すなわち、第１のＵＬグラントに含まれるＣＳＩリクエストフィールドの値に基づいて、いずれのサービングセルに対するアピリオディックＣＳＩレポートがトリガされるか、および／または、いずれのレポーティングモードが用いられるのかが示されてもよい。
【０１７５】
また、基地局装置３は、第３のＵＬグラントによってトリガするようセットしたアピリオディックＣＳＩレポートが実行される際に、いずれのサービングセルに対するアピリオディックＣＳＩレポートがトリガされるか、および／または、いずれのレポーティングモードが用いられるのかを設定してもよい。例えば、端末装置１は、第３のＵＬグラントに含まれるＣＳＩリクエストフィールドの値に基づいて、設定されたサービングセルのセットに対するＣＳＩを、設定されたレポーティングモードを用いてレポートしてもよい。
【０１７６】
すなわち、第３のＵＬグラントに含まれるＣＳＩリクエストフィールドの値に基づいて、いずれのサービングセルに対するアピリオディックＣＳＩレポートがトリガされるか、および／または、いずれのレポーティングモードが用いられるのかが示されてもよい。
【０１７７】
図８（ｂ）に示すように、基地局装置３は、第１の情報、第２の情報、第３の情報、第４の情報、第５の情報、第６の情報、第７の情報、および／または、第８の情報が含まれる上位層の信号（例えば、ＲＲＣシグナリング）を送信してもよい。
【０１７８】
ここで、基地局装置３は、‘０１’にセットされたＣＳＩリクエストフィールドが含まれる第１のＵＬグラントを送信してもよい。端末装置は、‘０１’にセットされたＣＳＩリクエストフィールドが含まれる第１のＵＬグラントの検出（デコード）に基づいて、ＰＵＳＣＨを用いて、アピリオディックＣＳＩレポーティングを実行してもよい。ここで、‘０１’にセットされたＣＳＩリクエストフィールドが含まれる第１のＵＬグラントによってトリガされるアピリオディックＣＳＩレポートは、サービングセルに対してトリガされてもよい。また、‘０１’にセットされたＣＳＩリクエストフィールドが含まれる第１のＵＬグラントによってトリガされるアピリオディックＣＳＩレポートは、設定された第１のレポーティングモードを用いて送信されてもよい。
【０１７９】
また、基地局装置３は、‘０１’にセットされたＣＳＩリクエストフィールドが含まれる第３のＵＬグラントを送信してもよい。端末装置は、‘０１’にセットされたＣＳＩリクエストフィールドが含まれる第３のＵＬグラントの検出（デコード）に基づいて、ｓＰＵＳＣＨを用いて、アピリオディックＣＳＩレポーティングを実行してもよい。ここで、‘０１’にセットされたＣＳＩリクエストフィールドが含まれる第３のＵＬグラントによってトリガされるアピリオディックＣＳＩレポートは、サービングセルに対してトリガされてもよい。また、‘０１’にセットされたＣＳＩリクエストフィールドが含まれる第３のＵＬグラントによってトリガされるアピリオディックＣＳＩレポートは、設定された第２のレポーティングモードを用いて送信されてもよい。
【０１８０】
また、基地局装置３は、‘１０’にセットされたＣＳＩリクエストフィールドが含まれる第１のＵＬグラントを送信してもよい。端末装置は、‘１０’にセットされたＣＳＩリクエストフィールドが含まれる第１のＵＬグラントの検出（デコード）に基づいて、ＰＵＳＣＨを用いて、アピリオディックＣＳＩレポーティングを実行してもよい。ここで、‘１０’にセットされたＣＳＩリクエストフィールドが含まれる第１のＵＬグラントによってトリガされるアピリオディックＣＳＩレポートは、第１の情報を用いて設定されたサービングセルのセット（１つまたは複数のサービングセルの第１のセット）に対してトリガされてもよい。また、‘１０’にセットされたＣＳＩリクエストフィールドが含まれる第１のＵＬグラントによってトリガされるアピリオディックＣＳＩレポートは、第２の情報を用いて設定された第３のレポーティングモードを用いて送信されてもよい。
【０１８１】
また、基地局装置３は、‘１０’にセットされたＣＳＩリクエストフィールドが含まれる第３のＵＬグラントを送信してもよい。端末装置は、‘１０’にセットされたＣＳＩリクエストフィールドが含まれる第３のＵＬグラントの検出（デコード）に基づいて、ｓＰＵＳＣＨを用いて、アピリオディックＣＳＩレポーティングを実行してもよい。ここで、‘１０’にセットされたＣＳＩリクエストフィールドが含まれる第３のＵＬグラントによってトリガされるアピリオディックＣＳＩレポートは、第３の情報を用いて設定されたサービングセルのセット（１つまたは複数のサービングセルの第２のセット）に対してトリガされてもよい。また、‘０１’にセットされたＣＳＩリクエストフィールドが含まれる第３のＵＬグラントによってトリガされるアピリオディックＣＳＩレポートは、第４の情報を用いて設定された第４のレポーティングモードを用いて送信されてもよい。
【０１８２】
また、基地局装置３は、‘１１’にセットされたＣＳＩリクエストフィールドが含まれる第１のＵＬグラントを送信してもよい。端末装置は、‘１１’にセットされたＣＳＩリクエストフィールドが含まれる第１のＵＬグラントの検出（デコード）に基づいて、ＰＵＳＣＨを用いて、アピリオディックＣＳＩレポーティングを実行してもよい。ここで、‘１１’にセットされたＣＳＩリクエストフィールドが含まれる第１のＵＬグラントによってトリガされるアピリオディックＣＳＩレポートは、第５の情報を用いて設定されたサービングセルのセット（１つまたは複数のサービングセルの第３のセット）に対してトリガされてもよい。また、‘１１’にセットされたＣＳＩリクエストフィールドが含まれる第１のＵＬグラントによってトリガされるアピリオディックＣＳＩレポートは、第６の情報を用いて設定された第５のレポーティングモードを用いて送信されてもよい。
【０１８３】
また、基地局装置３は、‘１１’にセットされたＣＳＩリクエストフィールドが含まれる第３のＵＬグラントを送信してもよい。端末装置は、‘１１’にセットされたＣＳＩリクエストフィールドが含まれる第３のＵＬグラントの検出（デコード）に基づいて、ｓＰＵＳＣＨを用いて、アピリオディックＣＳＩレポーティングを実行してもよい。ここで、‘１１’にセットされたＣＳＩリクエストフィールドが含まれる第３のＵＬグラントによってトリガされるアピリオディックＣＳＩレポートは、第７の情報を用いて設定されたサービングセルのセット（１つまたは複数のサービングセルの第４のセット）に対してトリガされてもよい。また、‘１１’にセットされたＣＳＩリクエストフィールドが含まれる第３のＵＬグラントによってトリガされるアピリオディックＣＳＩレポートは、第８の情報を用いて設定された第６のレポーティングモードを用いて送信されてもよい。
【０１８４】
すなわち、端末装置１は、検出したＵＬグラント（第１のＵＬグラント、または、第３のＵＬグラント）に基づいて、アピリオディックＣＳＩレポートがトリガされるサービングセル（または、サービングセルのセット）を決定してもよい。ここで、アピリオディックＣＳＩレポートがトリガされるサービングセル（または、サービングセルのセット）は、検出したＵＬグラント（第１のＵＬグラント、または、第３のＵＬグラント）に含まれるＣＳＩリクエストフィールドの値に基づいて決定されてもよい。
【０１８５】
また、端末装置１は、検出したＵＬグラント（第１のＵＬグラント、または、第３のＵＬグラント）に基づいて、アピリオディックＣＳＩレポーティングに用いられるレポーティングモードを決定してもよい。アピリオディックＣＳＩレポーティングに用いられるレポーティングモードは、検出したＵＬグラント（第１のＵＬグラント、または、第３のＵＬグラント）に含まれるＣＳＩリクエストフィールドの値に基づいて決定されてもよい。
【０１８６】
また、端末装置１は、アピリオディックＣＳＩレポーティングが実行されるチャネル（ＰＵＳＣＨ、または、ｓＰＵＳＣＨ）に基づいて、アピリオディックＣＳＩレポートがトリガされるサービングセル（または、サービングセルのセット）を決定してもよい。ここで、アピリオディックＣＳＩレポートがトリガされるサービングセル（または、サービングセルのセット）は、アピリオディックＣＳＩレポーティングが対応するＵＬグラント（第１のＵＬグラント、または、第３のＵＬグラント）に含まれるＣＳＩリクエストフィールドの値に基づいて決定されてもよい。
【０１８７】
また、端末装置１は、アピリオディックＣＳＩレポーティングが実行されるチャネル（ＰＵＳＣＨ、または、ｓＰＵＳＣＨ）に基づいて、アピリオディックＣＳＩレポーティングに用いられるレポーティングモードを決定してもよい。ここで、アピリオディックＣＳＩレポーティングに用いられるレポーティングモードは、アピリオディックＣＳＩレポーティングが対応するＵＬグラント（第１のＵＬグラント、または、第３のＵＬグラント）に含まれるＣＳＩリクエストフィールドの値に基づいて決定されてもよい。
【０１８８】
すなわち、端末装置１は、第１のＵＬグラントに含まれるＣＳＩリクエストフィールドにセットされる値と、第３のＵＬグラントに含まれるＣＳＩリクエストフィールドにセットされる値が、同一の値であったとしても、異なるサービングセル（または、異なるサービングセルのセット）に対するアピリオディックＣＳＩレポーティングを実行してもよい。また、端末装置１は、第１のＵＬグラントに含まれるＣＳＩリクエストフィールドにセットされる値と、第３のＵＬグラントに含まれるＣＳＩリクエストフィールドにセットされる値が、同一の値であったとしても、異なるレポーティングモードを用いて、アピリオディックＣＳＩレポーティングを実行してもよい。
【０１８９】
ここで、例えば、基地局装置３は、ＰＵＣＣＨ（ＰＵＣＣＨのリソース）を設定するために用いられる情報、および／または、インターバル（周期）を設定するために用いられる情報が含まれる上位層の信号（例えば、ＲＲＣシグナリング）を送信してもよい。端末装置１は、ＰＵＣＣＨを設定するために用いられる情報、および／または、インターバルを設定するために用いられる情報に基づいて、ＰＵＣＣＨを用いて、ピリオディックＣＳＩレポーティングを実行してもよい。すなわち、端末装置１は、ＰＵＣＣＨを用いて、周期的にＣＳＩを送信してもよい。
【０１９０】
すなわち、端末装置１は、あるサブフレームにおいて、ＰＵＣＣＨを用いて、ピリオディックＣＳＩレポーティングを実行してもよい。ここで、ＰＵＣＣＨは、ある１つのサブフレームに含まれる全てのＳＣ−ＦＤＭＡシンボルにマップされる。すなわち、端末装置１は、ある１つのサブフレームに含まれる全てのＳＣ−ＦＤＭＡシンボルにおけるＰＵＣＣＨを用いて、ピリオディックＣＳＩレポーティングを実行してもよい。
【０１９１】
また、例えば、基地局装置３は、ｓＰＵＣＣＨ（ｓＰＵＣＣＨのリソース）を設定するために用いられる情報、および／または、インターバル（周期）を設定するために用いられる情報が含まれる上位層の信号（例えば、ＲＲＣシグナリング）を送信してもよい。端末装置１は、ｓＰＵＣＣＨを設定するために用いられる情報、および／または、インターバルを設定するために用いられる情報に基づいて、ｓＰＵＣＣＨを用いて、ピリオディックＣＳＩレポーティングを実行してもよい。すなわち、端末装置１は、ｓＰＵＣＣＨを用いて、周期的にＣＳＩを送信してもよい。
【０１９２】
すなわち、端末装置１は、あるシンボル（ＳＣ−ＦＤＭＡシンボル）において、ｓＰＵＣＣＨを用いて、ピリオディックＣＳＩレポーティングを実行してもよい。ここで、ｓＰＵＣＣＨは、ある１つのサブフレームに含まれる一部のＳＣ−ＦＤＭＡシンボルにマップされる。すなわち、端末装置１は、ある１つのサブフレームに含まれる一部のＳＣ−ＦＤＭＡシンボルにおけるＰＵＣＣＨを用いて、ピリオディックＣＳＩレポーティングを実行してもよい。
【０１９３】
ここで、基地局装置３は、上位層の信号（例えば、ＲＲＣシグナリング）を用いて、ピリオディックＣＳＩレポーティング（または、ＰＵＣＣＨでもよい）に対するレポーティングモードを設定してもよい。すなわち、基地局装置３は、ピリオディックＣＳＩレポーティングに対するレポーティングモードを設定するために用いられる情報を送信してもよい。
【０１９４】
ここで、ピリオディックＣＳＩレポーティングに対するレポーティングモードは、端末装置１が、ＰＵＣＣＨ、および、ｓＰＵＣＣＨを用いたピリオディックＣＳＩレポーティングを示していてもよい。すなわち、基地局装置３は、ＰＵＣＣＨを用いたピリオディックＣＳＩレポーティング、および、ｓＰＵＣＣＨを用いたピリオディックＣＳＩレポーティングに対して、１つの共通のレポーティングモードを設定してもよい。
【０１９５】
すなわち、端末装置１は、基地局装置３によって設定されたレポーティングモードを用いて、ＰＵＣＣＨで、ピリオディックＣＳＩレポーティングを実行してもよい。また、端末装置１は、基地局装置３によって設定されたレポーティングモードを用いて、ｓＰＵＣＣＨで、ピリオディックＣＳＩレポーティングを実行してもよい。ここで、ＰＵＣＣＨを用いたピリオディックＣＳＩレポーティングに対するレポーティングモードと、ｓＰＵＣＣＨを用いたピリオディックＣＳＩレポーティングに対するレポーティングモードは、同一であってもよい。
【０１９６】
以下、本実施形態における装置の構成について説明する。
【０１９７】
図９は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、ｓＴＴＩ制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１９８】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC層、無線リソース制御（Radio Resource Control: RRC）層の処理を行なう。
【０１９９】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２００】
ここで、上位層処理部１０１が備えるスケジューリング情報解釈部１０１３は、受信部１０５を介して受信したＤＣＩフォーマット（スケジューリング情報、ＵＬグラント）の解釈をし、前記ＤＣＩフォーマットを解釈した結果に基づき、受信部１０５、および送信部１０７の制御を行なうために制御情報を生成し、制御部１０３に出力する。
【０２０１】
また、上位層処理部１０１が備えるｓＴＴＩ制御部１０１５は、各種設定情報、および、パラメータなどＳＰＳに関連する情報、状況に基づいて、ｓＴＴＩ送信に関連する制御を行う。
【０２０２】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２０３】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０２０４】
また、無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０２０５】
また、多重分離部１０５５は、抽出した信号をＰＨＩＣＨ、ＰＤＣＣＨ、ＰＤＳＣＨ、および、下りリンク参照信号に、それぞれ分離する。また、多重分離部１０５５は、チャネル測定部１０５９から入力された伝搬路の推定値から、ＰＨＩＣＨ、ＰＤＣＣＨ、および、ＰＤＳＣＨの伝搬路の補償を行なう。また、多重分離部１０５５は、分離した下りリンク参照信号をチャネル測定部１０５９に出力する。
【０２０６】
また、復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨの復号を試み、復号に成功した場合、復号した下りリンク制御情報と下りリンク制御情報が対応するＲＮＴＩとを上位層処理部１０１に出力する。
【０２０７】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０２０８】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０２０９】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０２１０】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０２１１】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０２１２】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２１３】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０２１４】
図１０は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、ｓＴＴＩ制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２１５】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２１６】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０２１７】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０２１８】
また、上位層処理部３０１が備えるｓＴＴＩ制御部３０１５は、各種設定情報、および、パラメータなどＳＰＳに関連する情報、状況に基づいて、ＳＰＳに関連する制御を行う。
【０２１９】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２２０】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０２２１】
また、無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０２２２】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２２３】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２２４】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０２２５】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および、下りリンク参照信号を多重して、送受信アンテナ部３０９を介して端末装置１に信号を送信する。
【０２２６】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２２７】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０２２８】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０２２９】
より具体的には、本実施形態における端末装置１は、アピリオディックＣＳＩレポーティングの第１のモード（レポーティングモード）を設定するための情報、および、アピリオディックＣＳＩレポーティングの第２のモード（レポーティングモード）を設定するための情報を受信し、ＰＵＳＣＨのスケジューリングに用いられるＵＬグラント（第１のＵＬグラント）、ｓＰＵＳＣＨのスケジューリングに用いられるＵＬグラント（第３のＵＬグラント）を受信する受信部１０５と、前記ＰＵＳＣＨのスケジューリングに用いられるＵＬグラントに含まれるＣＳＩリクエストフィールドの第１の値が、アピリオディックＣＳＩレポートをトリガするようにセットされている第１の場合において、前記第１のモードを用いて、前記ＰＵＳＣＨで、ＣＳＩを送信し、前記ｓＰＵＳＣＨのスケジューリングに用いられるＵＬグラントに含まれる前記ＣＳＩリクエストフィールドの第２の値が、アピリオディックＣＳＩレポートをトリガするようにセットされている第２の場合において、前記第２のモードを用いて、前記ｓＰＵＳＣＨで、ＣＳＩを送信する送信部１０７と、を備える。
【０２３０】
また、前記受信部１０５は、１つまたは複数のサービングセルの第１のセットを設定するための情報、および、１つまたは複数のサービングセルの第２のセットを設定するための情報を受信し、前記送信部１０７は、前記第１の場合において、１つまたは複数のサービングセルの第１のセットに対するＣＳＩを、前記第１のモードを用いて、前記ＰＵＳＣＨで送信し、前記第２の場合において、１つまたは複数のサービングセルの第２のセットに対するＣＳＩを、前記第２のモードを用いて、前記ｓＰＵＳＣＨで送信する。
【０２３１】
ここで、前記第１の値と前記第２の値は、同一である。すなわち、前記第１の値は、前記第２の値と同じである。また、前記ＰＵＳＣＨは、ある１つのサブフレームに含まれる全てのＳＣ−ＦＤＭＡシンボルにマップされ、前記ｓＰＵＳＣＨは、ある１つのサブフレームに含まれる一部のＳＣ−ＦＤＭＡシンボルにマップされる。
【０２３２】
また、前記受信部１０５は、ピリオディックＣＳＩレポーティングの第３のモードを設定するための情報を受信し、前記送信部１０７は、前記第３のモードを用いて、ＰＵＣＣＨ、および、ｓＰＵＣＣＨの何れかで、ＣＳＩを送信する。ここで、前記ＰＵＣＣＨは、ある１つのサブフレームに含まれる全てのＳＣ−ＦＤＭＡシンボルにマップされ、前記ｓＰＵＣＣＨは、ある１つのサブフレームに含まれる一部のＳＣ−ＦＤＭＡシンボルにマップされる。
【０２３３】
また、本実施形態における基地局装置３は、アピリオディックＣＳＩレポーティングの第１のモード（レポーティングモード）を設定するための情報、および、アピリオディックＣＳＩレポーティングの第２のモード（レポーティングモード）を設定するための情報を送信し、ＰＵＳＣＨのスケジューリングに用いられるＵＬグラント（第１のＵＬグラント）、ｓＰＵＳＣＨのスケジューリングに用いられるＵＬグラント（第３のＵＬグラント）を送信する送信部３０７と、前記ＰＵＳＣＨのスケジューリングに用いられるＵＬグラントに含まれるＣＳＩリクエストフィールドの第１の値を、アピリオディックＣＳＩレポートをトリガするようにセットしている第１の場合において、前記第１のモードを用いて、前記ＰＵＳＣＨで、ＣＳＩを受信し、前記ｓＰＵＳＣＨのスケジューリングに用いられるＵＬグラントに含まれる前記ＣＳＩリクエストフィールドの第２の値を、アピリオディックＣＳＩレポートをトリガするようにセットしている第２の場合において、前記第２のモードを用いて、前記ｓＰＵＳＣＨで、ＣＳＩを受信する受信部３０５と、を備える。
【０２３４】
また、前記送信部３０５は、１つまたは複数のサービングセルの第１のセットを設定するための情報、および、１つまたは複数のサービングセルの第２のセットを設定するための情報を送信し、前記受信部３０７は、前記第１の場合において、１つまたは複数のサービングセルの第１のセットに対するＣＳＩを、前記第１のモードを用いて、前記ＰＵＳＣＨで受信し、前記第２の場合において、１つまたは複数のサービングセルの第２のセットに対するＣＳＩを、前記第２のモードを用いて、前記ｓＰＵＳＣＨで受信する。
【０２３５】
ここで、前記第１の値と前記第２の値は、同一である。すなわち、前記第１の値は、前記第２の値と同じである。また、前記ＰＵＳＣＨは、ある１つのサブフレームに含まれる全てのＳＣ−ＦＤＭＡシンボルにマップされ、前記ｓＰＵＳＣＨは、ある１つのサブフレームに含まれる一部のＳＣ−ＦＤＭＡシンボルにマップされる。
【０２３６】
また、前記送信部３０５は、ピリオディックＣＳＩレポーティングの第３のモードを設定するための情報を送信し、前記受信部３０７は、前記第３のモードを用いて、ＰＵＣＣＨ、および、ｓＰＵＣＣＨの何れかで、ＣＳＩを受信する。ここで、前記ＰＵＣＣＨは、ある１つのサブフレームに含まれる全てのＳＣ−ＦＤＭＡシンボルにマップされ、前記ｓＰＵＣＣＨは、ある１つのサブフレームに含まれる一部のＳＣ−ＦＤＭＡシンボルにマップされる。
【０２３７】
これにより、チャネル状態情報を効率的に送信することができる。例えば、ＰＵＳＣＨを用いたアピリオディックＣＳＩレポーティングに対して用いられるレポーティングモードと、ｓＰＵＳＣＨを用いたアピリオディックＣＳＩレポーティングに対して用いられるレポーティングモードが、それぞれ設定されることによって、最適なレポーティングモードが設定されることが可能となり、チャネル状態情報を効率的に送信することができる。
【０２３８】
また、ＣＳＩリクエストフィールドの値に基づいて、アピリオディックＣＳＩレポートがトリガされるサービングセル（または、サービングセルのセット）、および／または、レポーティングモードが指示されることによって、より柔軟に、トリガされるサービングセル（または、サービングセルのセット）、および／または、レポーティングモードを切り替えることが可能となり、チャネル状態情報を効率的に送信することができる。
【０２３９】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２４０】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２４１】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２４２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２４３】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２４４】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２４５】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２４６】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２４７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２４８】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  ｓＴＴＩ制御部
３０１１  無線リソース制御部
３０１３  スケジューリング部
３０１５  ｓＴＴＩ制御部
【図１】
2017187697.tif 000003
【図２】
2017187697.tif 000004
【図３】
2017187697.tif 000005
【図４】
2017187697.tif 000006
【図５】
2017187697.tif 000007
【図６】
2017187697.tif 000008
【図７】
2017187697.tif 000009
【図８】
2017187697.tif 000010
【図９】
2017187697.tif 000011
【図１０】
2017187697.tif 000012
【国際調査報告】
2017187697.tif 000013
2017187697.tif 000014